【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
ユーザを１つ又は複数のウェブサイトに登録するシステムであって、
少なくとも１つのプロセッサであって、
（ａ）前記ユーザを登録する要求を受信し、
（ｂ）前記ユーザによって用いられているコンピューティングデバイスのＩＰアドレスを受信し、
（ｃ）前記ＩＰアドレスを受信した後に、
（１）前記ＩＰアドレスに関連付けられたロケーションを取得し、
（２）前記ユーザがウェブサイトに登録することを許可している管轄に該ユーザがいるか否かを識別し、
（ｄ）前記ユーザから取得された１つ又は複数のパラメータであって、前記ユーザの特徴を含む、１つ又は複数のパラメータを受信し、
（ｅ）前記１つ又は複数のパラメータを受信した後に、
（１）前記１つ又は複数のパラメータのうちの少なくとも１つに基づいて前記ユーザの年齢を検証し、
（２）前記ユーザの年齢を検証した後に、１つ又は複数のタイプの取引活動のうちのいずれが、前記ユーザが前記１つ又は複数のウェブサイト上で行うことを許可されているのかを、前記ユーザの年齢に基づいて判断し、
（３）所定の前の時間期間にわたる１つ又は複数の登録の試みを照会して、前記ユーザから取得された前記１つ又は複数のパラメータと重複又は類似した、前記１つ又は複数の登録の試みに関連付けられたパラメータを識別し、
（４）前記ユーザから取得された前記１つ又は複数のパラメータのうちの１つに少なくとも基づいて前記ユーザの同一性を検証し、
（ｆ）
（１）重複又は類似したパラメータを（ｅ）（３）から識別せず、かつ、
（２）前記ユーザの同一性を（ｅ）（４）から検証した、
後に、前記ユーザに関連付けられた一意のユーザ識別子を生成する、
ように構成されている、少なくとも１つのプロセッサを備える、システム。
【請求項２】
前記プロセッサは、前記一意のユーザ識別子を前記１つ又は複数のウェブサイトに送信するように更に構成されている、請求項１に記載のシステム。
【請求項３】
前記プロセッサは、
前記一意のユーザ識別子を前記ユーザに送信し、
前記一意のユーザ識別子に関連付けられたパスワードの作成を容易にする、
ように更に構成されている、請求項１に記載のシステム。
【請求項４】
前記プロセッサは、
前記一意のユーザ識別子に関連付けられたパスワードを生成し、
前記一意のユーザ識別子及び前記パスワードを前記ユーザに送信する、
ように更に構成されている、請求項１に記載のシステム。
【請求項５】
重複又は類似したパラメータを識別せず、かつ前記ユーザの同一性を検証した後に、前記プロセッサは、前記ユーザが前記一意のユーザ識別子及びパスワードを前記ウェブサイトに提供することができるように、前記一意のユーザ識別子とともに前記パスワードを前記ユーザに自動的に提供するように更に構成されている、請求項１に記載のシステム。
【請求項６】
前記少なくとも１つのプロセッサは、
前記ロケーションを前記一意のユーザ識別子に関連付け、
前記ロケーションをメモリに記憶する、
ように構成されている、請求項１に記載のシステム。
【請求項７】
前記少なくとも１つのプロセッサは、
前記１つ又は複数のパラメータを前記一意のユーザ識別子に関連付け、
前記１つ又は複数のパラメータをメモリに記憶する、
ように構成されている、請求項１に記載のシステム。
【請求項８】
前記少なくとも１つのプロセッサは、前記ユーザの同一性を検証した後に、
同一性検証フラグを前記一意のユーザ識別子に関連付け、
前記同一性検証フラグをメモリに記憶する、
ように構成されている、請求項１に記載のシステム。
【請求項９】
前記１つ又は複数のパラメータは、ユーザ名、名、姓、電子メールアドレス、生年月日、性別、住所、地上通信線電話番号、モバイル電話番号、社会保障番号、運転者の免許証番号及び発行州若しくは発行国、又は前記ユーザによって用いられている前記デバイスのデバイスフィンガプリントのうちの１つ又は複数を含む、請求項１に記載のシステム。
【請求項１０】
前記少なくとも１つのプロセッサは、前記１つ又は複数の登録の試みに関連付けられたＩＰアドレスを照会して、前記ユーザによって用いられている前記コンピューティングデバイスの前記ＩＰアドレスと重複したＩＰアドレスを識別するように構成されている、請求項１に記載のシステム。
【請求項１１】
ユーザを１つ又は複数のウェブサイトに登録する方法であって、
（ａ）前記ユーザを登録する要求を、ネットワークを介して前記ウェブサイトから受信するステップと、
（ｂ）前記ユーザによって用いられているコンピューティングデバイスのＩＰアドレスを、前記ネットワークを介して受信するステップと、
（ｃ）前記ＩＰアドレスを受信した後に、
（１）前記ＩＰアドレスに関連付けられたロケーションを取得するステップと、
（２）少なくとも１つのプロセッサを備える少なくとも１つのコンピューティングデバイスによって、前記ロケーションに基づいて、前記ユーザが、特定のウェブサイトへの登録を許可しているロケーションにいるか否かを識別するステップと、
（ｄ）前記ユーザから取得されて前記ネットワークを介して送信された１つ又は複数のパラメータを受信するステップであって、該１つ又は複数のパラメータは、前記ユーザの特徴を含む、受信するステップと、
（ｅ）前記１つ又は複数のパラメータを受信した後に、
（１）前記１つ又は複数のパラメータのうちの少なくとも１つに基づいて前記ユーザの年齢を検証するステップと、
（２）前記ユーザの年齢を検証した後に、前記少なくとも１つのプロセッサによって、前記ユーザが前記１つ又は複数のウェブサイト上で１つ又は複数のタイプの取引活動のうちのいずれを許可されているのかを前記ユーザの年齢に基づいて判断するステップと、
（３）前記少なくとも１つのプロセッサによって、メモリからの所定の前の時間期間にわたる１つ又は複数の登録の試みを照会するステップであって、前記ユーザから取得された前記１つ又は複数のパラメータと重複又は類似した、前記１つ又は複数の登録の試みに関連付けられたパラメータを識別する、照会するステップと、
（４）前記ユーザから取得された前記１つ又は複数のパラメータのうちの１つに少なくとも基づいて前記ユーザの同一性を検証するステップと、
（ｆ）
（１）重複又は類似したパラメータをステップ（ｅ）（３）の間に識別せず、かつ、
（２）前記ユーザの同一性をステップ（ｅ）（４）の間に検証した、
後に、前記ユーザに関連付けられた一意のユーザ識別子を生成するステップと、
を含む、方法。
【請求項１２】
前記一意のユーザ識別子を前記１つ又は複数のウェブサイトに送信するステップを更に含む、請求項１１に記載の方法。
【請求項１３】
前記一意のユーザ識別子を前記ユーザに送信するステップと、
前記一意のユーザ識別子に関連付けられたパスワードの作成を容易にするステップと、
を更に含む、請求項１１に記載の方法。
【請求項１４】
前記一意のユーザ識別子に関連付けられたパスワードを生成するステップと、
前記一意のユーザ識別子及び前記パスワードを前記ユーザに送信するステップと、
を更に含む、請求項１１に記載の方法。
【請求項１５】
重複又は類似したパラメータを識別せず、かつ前記ユーザの同一性を検証した後に、前記ユーザが前記一意のユーザ識別子及びパスワードを前記ウェブサイトに提供することができるように、前記一意のユーザ識別子とともに前記パスワードを前記ユーザに自動的に提供するステップを更に含む、請求項１１に記載の方法。
【請求項１６】
前記ロケーションを前記一意のユーザ識別子に関連付けるステップと、
前記ロケーションを前記メモリに記憶するステップと、
を更に含む、請求項１１に記載の方法。
【請求項１７】
前記１つ又は複数のパラメータを前記一意のユーザ識別子に関連付けるステップと、
前記１つ又は複数のパラメータを前記メモリに記憶するステップと、
を更に含む、請求項１１に記載の方法。
【請求項１８】
前記ユーザの同一性を検証した後に、
同一性検証フラグを前記一意のユーザ識別子に関連付けるステップと、
前記同一性検証フラグを前記メモリに記憶するステップと、
を更に含む、請求項１１に記載の方法。
【請求項１９】
前記１つ又は複数のパラメータは、ユーザ名、名、姓、電子メールアドレス、生年月日、性別、住所、地上通信線電話番号、モバイル電話番号、社会保障番号、運転者の免許証番号及び発行州又は発行国、並びに前記ユーザによって用いられている前記デバイスのデバイスフィンガプリントのうちの１つ又は複数を含む、請求項１１に記載の方法。
【請求項２０】
前記１つ又は複数の登録の試みに関連付けられたＩＰアドレスを照会するステップであって、前記ユーザによって用いられている前記コンピューティングデバイスの前記ＩＰアドレスと重複したＩＰアドレスを識別する、照会するステップを更に含む、請求項１１に記載の方法。 
【手続補正２】
【補正対象書類名】明細書
【補正対象項目名】０２７２
【補正方法】変更
【補正の内容】
【０２７２】
結論
本発明の様々な実施形態の上記説明は、例示及び説明の目的で提示されたものである。網羅的であることも、本発明を開示された正確な形態に限定することも意図されていない。本明細書において述べた本発明の多くの変更形態及び他の実施形態は、上記説明及び関連付けられた図面に提示された教示の利益を有する、これらの発明が関係する技術分野の当業者には思い浮かぶであろう。このことを考慮に入れると、実施形態は、本発明の原理及びその実用的な用途の最良の例示を提供し、それによって、当業者が、特定の意図した使用に適することができるように様々な実施形態において様々な変更とともに本発明を利用することを可能にするように選ばれて説明されたものである。そのような全ての変更形態及び変形形態は、添付の特許請求の範囲が公正に、法的に、かつ公平に権利を与えられる広さに従って解釈されたときに当該特許請求の範囲によって定められる本発明の範囲内にある。図面及び好ましい実施形態は、特許請求の範囲の公正かつ広い解釈における当該特許請求の範囲の通常の意味を多少なりとも限定するものではなく、また限定するように意図されていない。最後に、特定の用語が本明細書において用いられているが、それらの用語は、一般的で説明的な意味でしか用いられておらず、限定の目的で用いられていない。
なお、出願当初の特許請求の範囲は以下の通りである。
（請求項１）
ユーザを少なくとも２つのウェブサイトに登録するシステムであって、
メモリと、
少なくとも１つのプロセッサであって、
（ａ）前記ユーザに関連付けられた１つ又は複数の属性を含む、該ユーザに関する第１の属性セットを第１のウェブサイトから受信し、
（ｂ）前記第１の属性セットを受信した後に、
（１）前記ユーザに関連付けられた一意のユーザ識別子を割り当て、
（２）前記一意のユーザ識別子及び前記第１の属性セットを関連付け、
（３）前記一意のユーザ識別子及び前記第１の属性セットを前記メモリに記憶し、
（ｃ）前記ユーザに関連付けられた１つ又は複数の属性を含む、該ユーザに関する第２の属性セットを第２のウェブサイトから受信し、
（ｄ）前記第２の属性セットを受信した後に、
（１）前記第１の属性セットの１つ又は複数の属性を前記第２の属性セットの１つ又は複数の属性と比較し、
（２）前記第１の属性セットの少なくとも１つの属性が前記第２の属性セットの少なくとも１つの属性と一致することに応答して、前記一意のユーザ識別子及び前記第２の属性セットを関連付ける、
ように構成された少なくとも１つのプロセッサと、
を備え、前記一意のユーザ識別子を前記第２の属性セットに関連付けた後に、前記第１の属性セットの少なくとも１つの属性が、前記第２のウェブサイトに提供される、システム。
（請求項２）
前記第１のウェブサイトは、前記第２のウェブサイトから独立している、請求項１に記載のシステム。
（請求項３）
前記第１の属性セットの前記少なくとも１つの属性を前記第２の属性セットの前記少なくとも１つの属性と照合することは、前記第１の属性セットの前記少なくとも１つの属性が、信頼水準に基づいて、前記第２の属性セットの前記少なくとも１つの属性と一致するか否かを判断することを含む、請求項１に記載のシステム。
（請求項４）
前記少なくとも１つのプロセッサは、
前記第１の属性セットの少なくとも１つの属性に基づく前記ユーザの同一性の検証を取得し、
前記検証を前記メモリに記憶する、
ように更に構成され、前記検証は、前記ユーザの同一性を検証する要求を前記第１のウェブサイトから受信した後に前記第１のウェブサイトに提供される、請求項１に記載のシステム。
（請求項５）
前記少なくとも１つのプロセッサは、
前記第１の属性セットの少なくとも１つの属性に基づく前記ユーザの年齢の検証を取得し、
前記年齢の検証を前記メモリに記憶する、
ように更に構成され、前記年齢の検証の識別子は、前記ユーザの年齢を検証する要求を前記第２のウェブサイトから受信した後に前記第２のウェブサイトに提供される、請求項１に記載のシステム。
（請求項６）
前記少なくとも１つのプロセッサは、
（ａ）前記ユーザを識別するとともに、前記ユーザが前記第１のウェブサイトとのインタラクティブセッションに携わっていることを示す情報を前記第１のウェブサイトから受信し、
（ｂ）前記情報を受信した後に、
（１）前記ユーザが前記第１のウェブサイトとの前記インタラクティブセッション中に携わることができる複数の取引活動の有効性を確認し、
（２）有効性が確認された前記複数の取引活動と、前記一意のユーザ識別子と、前記第１のウェブサイトと、前記第１のウェブサイトとの前記インタラクティブセッションとに関連付けられたセッション識別子を発行し、
（３）前記一意のユーザ識別子及び前記第１のウェブサイトを識別する情報とともに前記セッション識別子を前記メモリに記憶し、
（４）前記セッション識別子と、前記複数の有効性が確認された取引活動のリストとを前記第１のウェブサイトに送信する、
ように更に構成されている、請求項１に記載のシステム。
（請求項７）
前記セッション識別子は、前記ユーザが購入取引活動を行うことについて有効性が確認された証明として機能する証明書を含み、
前記プロセッサは、前記購入取引活動に関する購入取引データ内に組み込むように前記証明書を前記第１のウェブサイトに送信するように更に構成されている、請求項６に記載のシステム。
（請求項８）
前記少なくとも１つのプロセッサは、
（ａ）前記ユーザを識別するとともに、前記ユーザが前記第１のウェブサイトとのインタラクティブセッションに携わっていることを示す情報を前記第１のウェブサイトから受信し、
（ｂ）前記情報を受信した後に、
（１）前記ユーザが前記第１のウェブサイトとの前記インタラクティブセッション中に携わることができる複数の取引活動の有効性を確認し、
（２）有効性が確認された前記複数の取引活動と、前記一意のユーザ識別子と、前記第１のウェブサイトと、前記第１のウェブサイトとの前記インタラクティブセッションと、に関連付けられたセッション識別子を発行し、
（３）前記一意のユーザ識別子及び前記第１のウェブサイトを識別する情報とともに前記セッション識別子を前記メモリに記憶し、
（ｃ）前記ユーザが、前記第１のウェブサイトとの前記インタラクティブセッションに携わっている間に第１の取引活動を実行したいことを示す情報を受信し、
（ｄ）前記ユーザが第１の活動を実行したいことを示す前記情報を受信した後に、
（１）前記第１の活動が、前記セッション識別子に関連付けられた前記複数の有効性が確認された活動に含まれるか否かを示す第１の結果を求め、
（２）前記第１の結果を求めた後に、
（ａ）前記第１のウェブサイトに前記第１の結果を知らせ、
（ｂ）前記第１の取引活動を示す情報を前記セッション識別子に関連付ける、
ように更に構成され、
前記少なくとも１つのプロセッサは、（ａ）前記ユーザが、前記第１のウェブサイトとの前記インタラクティブセッションに携わっている間に１つ又は複数のその後の取引活動を実行したいことを示す情報を受信し、（ｂ）前記ユーザが前記１つ又は複数のその後の取引活動を実行したいことを示す前記情報を受信した後に、前記１つ又は複数のその後の取引活動のそれぞれについて、該その後の取引活動が、前記セッション識別子に関連付けられた前記複数の有効性が確認された取引活動に含まれるか否かを示すその後の結果を求め、（ｃ）該その後の結果を求めた後に、（１）前記第１のウェブサイトに該その後の結果を知らせ、（２）前記ユーザが前記第１のウェブサイトとの前記インタラクティブセッションに携わっている状態にある限り、前記その後の取引活動を示す情報を前記セッション識別子とともに記憶する、ように構成されている、請求項１に記載のシステム。
（請求項９）
前記第１の属性セットは、前記ユーザを一意に識別する、請求項１に記載のシステム。
（請求項１０）
前記第１の属性セットの前記少なくとも１つの属性は、前記少なくとも１つのプロセッサが前記一意のユーザ識別子を前記第２のウェブサイトから受信した後に、前記第２のウェブサイトに提供される、請求項１に記載のシステム。
（請求項１１）
前記第１の属性セットを受信した後に、前記少なくとも１つのプロセッサは、
前記ユーザが１つ又は複数の排除データベースに列挙されているか否かを、前記第１の属性セット内の前記属性のうちの１つ又は複数に基づいて判断し、
前記ユーザが前記１つ又は複数の排除データベースに列挙されていることに応答して、前記ユーザが前記第１のウェブサイトに登録することを許可されていないことを前記第１のウェブサイトに知らせる、
ように更に構成されている、請求項１に記載のシステム。
（請求項１２）
（ａ）前記第１のウェブサイトから受信された前記第１の属性セットは、前記ユーザが、前記第１のウェブサイト上で取引活動に携わることから自身を排除していることを示す自己排除属性を含み、
（ｂ）前記少なくとも１つのプロセッサは、前記ユーザが前記第２のウェブサイト上で取引活動に携わることができるか否かを検証する要求を前記第２のウェブサイトから受信するように構成され、前記要求は、前記ユーザを識別する情報を含み、
（ｃ）前記要求を受信した後に、前記少なくとも１つのプロセッサは、
（２）前記一意のユーザ識別子に基づいて前記メモリに照会し、
（３）前記ユーザが前記第１のウェブサイト上で取引活動に携わることから排除されていることを示す前記自己排除属性の少なくとも一部分を取り出したことに応答して、前記ユーザが前記第２のウェブサイト上で取引活動に携わることから排除されるという指示を前記第２のウェブサイトに送信する、
ように構成されている、請求項１に記載のシステム。
（請求項１３）
ユーザを少なくとも２つのウェブサイトに登録する方法であって、
（ａ）前記ユーザに関連付けられた１つ又は複数の属性を含む、該ユーザに関する第１の属性セットを第１のウェブサイトからネットワークを介して受信するステップと、
（ｂ）前記第１の属性セットを受信した後に、
（１）少なくとも１つのプロセッサを備える少なくとも１つのコンピューティングデバイスによって、前記ユーザに関連付けられた一意のユーザ識別子を割り当てるステップと、
（２）前記一意のユーザ識別子及び前記第１の属性セットを関連付けるステップと、
（３）前記一意のユーザ識別子及び前記第１の属性セットを、前記少なくとも１つのコンピューティングデバイスのメモリに記憶するステップと、
（ｃ）前記ユーザに関連付けられた１つ又は複数の属性を含む、該ユーザに関する第２の属性セットを第２のウェブサイトから前記ネットワークを介して受信するステップと、
（ｄ）前記第２の属性セットを受信した後に、
（１）前記少なくとも１つのプロセッサによって、前記第１の属性セットの１つ又は複数の属性を前記第２の属性セットの１つ又は複数の属性と比較するステップと、
（２）前記第１の属性セットの少なくとも１つの属性が前記第２の属性セットの少なくとも１つの属性と一致することに応答して、前記一意のユーザ識別子及び前記第２の属性セットを前記メモリにおいて関連付けるステップと、
を含み、前記一意のユーザ識別子を前記第２の属性セットに関連付けた後に、前記第１の属性セットの少なくとも１つの属性が、前記ネットワークを介して前記第２のウェブサイトに提供される、方法。
（請求項１４）
前記第１のウェブサイトは、前記第２のウェブサイトから独立している、請求項１３に記載の方法。
（請求項１５）
前記第１の属性セットの前記少なくとも１つの属性を前記第２の属性セットの前記少なくとも１つの属性と照合することは、前記第１の属性セットの前記少なくとも１つの属性が、信頼水準に基づいて、前記第２の属性セットの前記少なくとも１つの属性と一致するか否かを判断することを含む、請求項１３に記載の方法。
（請求項１６）
前記少なくとも１つのプロセッサによって、前記第１の属性セットの少なくとも１つの属性に基づく前記ユーザの同一性の検証を取得するステップと、
前記検証を前記メモリに記憶するステップと、
を更に含み、前記検証は、前記ユーザの同一性を検証する要求を前記第１のウェブサイトから前記ネットワークを介して受信した後に前記第１のウェブサイトに提供される、請求項１３に記載の方法。
（請求項１７）
前記少なくとも１つのプロセッサによって、前記第１の属性セットの少なくとも１つの属性に基づく前記ユーザの年齢の検証を取得するステップと、
前記年齢の検証を前記メモリに記憶するステップと、
を更に含み、前記年齢の検証は、前記ユーザの年齢を検証する要求を前記第２のウェブサイトから前記ネットワークを介して受信した後に前記第２のウェブサイトに提供される、請求項１３に記載の方法。
（請求項１８）
前記ユーザを識別するとともに、前記ユーザが前記第１のウェブサイトとのインタラクティブセッションに携わっていることを示す情報を前記第１のウェブサイトから前記ネットワークを介して受信するステップと、
前記情報を受信した後に、
前記少なくとも１つのプロセッサによって、前記ユーザが前記第１のウェブサイトとの前記インタラクティブセッション中に携わることができる複数の取引活動の有効性を確認するステップと、
前記少なくとも１つのプロセッサによって、有効性が確認された前記複数の取引活動と、前記一意のユーザ識別子と、前記第１のウェブサイトと、前記第１のウェブサイトとの前記インタラクティブセッションと、に関連付けられたセッション識別子を発行するステップと、
前記一意のユーザ識別子及び前記第１のウェブサイトを識別する情報とともに前記セッション識別子を前記メモリに記憶するステップと、
前記セッション識別子と、前記複数の有効性が確認された取引活動のリストとを前記第１のウェブサイトに送信するステップと、
を更に含む、請求項１３に記載の方法。
（請求項１９）
前記セッション識別子は、前記ユーザが購入取引活動を行うことについて有効性が確認された証明として機能する証明書を含み、
該方法は、前記購入取引活動に関する購入取引データ内に組み込むように前記証明書を前記第１のウェブサイトに送信するステップを更に含む、請求項１８に記載の方法。
（請求項２０）
前記ユーザを識別するとともに、前記ユーザが前記第１のウェブサイトとのインタラクティブセッションに携わっていることを示す情報を前記第１のウェブサイトから前記ネットワークを介して受信するステップと、
前記情報を受信した後に、
前記少なくとも１つのプロセッサによって、前記ユーザが前記第１のウェブサイトとの前記インタラクティブセッション中に携わることができる複数の取引活動の有効性を確認するステップと、
前記少なくとも１つのプロセッサによって、有効性が確認された前記複数の取引活動と、前記一意のユーザ識別子と、前記第１のウェブサイトと、前記第１のウェブサイトとの前記インタラクティブセッションと、に関連付けられたセッション識別子を発行するステップと、
前記一意のユーザ識別子及び前記第１のウェブサイトを識別する情報とともに前記セッション識別子を前記メモリに記憶するステップと、
前記ユーザが、前記第１のウェブサイトとの前記インタラクティブセッションに携わっている間に第１の取引活動を実行したいことを示す情報を、前記ネットワークを介して受信するステップと、
前記ユーザが第１の活動を実行したいことを示す前記情報を受信した後に、
前記少なくとも１つのプロセッサによって、前記第１の取引活動が、前記セッション識別子に関連付けられた前記複数の有効性が確認された取引活動に含まれるか否かを示す第１の結果を求めるステップと、
前記第１の結果を求めた後に、
前記第１のウェブサイトに前記第１の結果を知らせるステップと、
前記第１の取引活動を示す情報を前記セッション識別子に関連付けるステップと、
を更に含み、
該方法は、（ａ）前記ユーザが、前記第１のウェブサイトとの前記インタラクティブセッションに携わっている間に１つ又は複数のその後の取引活動を実行したいことを示す情報を、前記ネットワークを介して受信するステップと、（ｂ）前記ユーザが前記１つ又は複数のその後の取引活動を実行したいことを示す前記情報を受信した後に、前記少なくとも１つのプロセッサによって、前記１つ又は複数のその後の取引活動のそれぞれについて、該その後の取引活動が、前記セッション識別子に関連付けられた前記複数の有効性が確認された取引活動に含まれるか否かを示すその後の結果を求めるステップと、（ｃ）該その後の結果を求めた後に、（１）前記第１のウェブサイトに該その後の結果を知らせるステップと、（２）前記ユーザが前記第１のウェブサイトとの前記インタラクティブセッションに携わっている状態にある限り、前記その後の取引活動を示す情報を前記セッション識別子とともに記憶するステップと、を更に含む、請求項１３に記載の方法。
（請求項２１）
前記第１の属性セットは、前記ユーザを一意に識別する、請求項１３に記載の方法。
（請求項２２）
前記第１の属性セットの前記少なくとも１つの属性は、前記一意のユーザ識別子を前記第２のウェブサイトから前記ネットワークを介して受信した後に、前記第２のウェブサイトに提供される、請求項１３に記載の方法。
（請求項２３）
前記第１の属性セットを受信した後に、
前記少なくとも１つのプロセッサによって、前記ユーザが１つ又は複数の排除データベースに列挙されているか否かを、前記第１の属性セット内の前記属性のうちの１つ又は複数に基づいて判断するステップと、
前記ユーザが前記１つ又は複数の排除データベースに列挙されていることに応答して、前記ユーザが前記第１のウェブサイトに登録することを許可されていないことを前記第１のウェブサイトに知らせるステップと、
を更に含む、請求項１３に記載の方法。
（請求項２４）
前記第１のウェブサイトから受信された前記第１の属性セットは、前記ユーザが、前記第１のウェブサイト上で取引活動に携わることから自身を排除していることを示す自己排除属性を含み、該方法は、
前記ユーザが前記第２のウェブサイト上で取引活動に携わることができるか否かを検証する要求を前記第２のウェブサイトから前記ネットワークを介して受信するステップであって、前記要求は、前記ユーザを識別する情報を含む、受信するステップと、
前記要求を受信した後に、
前記少なくとも１つのプロセッサによって、前記一意のユーザ識別子に基づいて前記メモリに照会するステップと、
前記ユーザが前記第１のウェブサイト上で取引活動に携わることから排除されていることを示す前記自己排除属性の少なくとも一部分を取り出した後に、前記少なくとも１つのプロセッサによって、前記ユーザが前記第２のウェブサイト上で取引活動に携わることから排除されているという指示を前記第２のウェブサイトに送信するステップと、
を含む、請求項１３に記載の方法。
（請求項２５）
ユーザを少なくとも２つのウェブサイトに登録するシステムであって、
メモリと、
少なくとも１つのプロセッサであって、
（ａ）前記ユーザからユーザ登録情報を受信し、
（ｂ）前記ユーザ登録情報を受信した後に、
（１）前記ユーザに関連付けられた一意のユーザ識別子を割り当て、
（２）前記一意のユーザ識別子及び前記ユーザ登録情報を関連付け、
（３）前記一意のユーザ識別子及び前記ユーザ登録情報を前記メモリに記憶し、
（４）前記一意のユーザ識別子を前記ユーザに提供し、
（ｃ）第１のウェブサイトから第１の登録情報を受信し、
（ｄ）前記第１の登録情報を受信した後に、有効性確認サービスに備えて前記第１のウェブサイトを登録し、
（ｅ）第２のウェブサイトから第２の登録情報を受信し、
（ｆ）前記第２の登録情報を受信した後に、前記有効性確認サービスに備えて前記第２のウェブサイトを登録し、
（ｇ）前記第１のウェブサイトから前記一意のユーザ識別子を受信し、
（ｈ）前記第１のウェブサイトから前記一意のユーザ識別子を受信した後に、
（１）前記有効性確認サービスを適用して、前記ユーザが前記第１のウェブサイト上でどのような取引活動を行うことができるのかを示す第１の有効性確認結果を取得し、
（２）前記第１の有効性確認結果を前記第１のウェブサイトに通信し、
（ｉ）前記第２のウェブサイトから前記一意のユーザ識別子を受信し、
（ｊ）前記第２のウェブサイトから前記一意のユーザ識別子を受信した後に、
（１）前記有効性確認サービスを適用して、前記ユーザが前記第２のウェブサイト上でどのような取引活動を行うことができるのかを示す第２の有効性確認結果を取得し、
（２）前記第２の有効性確認結果を前記第１のウェブサイトに通信する、
ように構成された少なくとも１つのプロセッサと、
を備える、システム。
（請求項２６）
前記第１のウェブサイトは、前記第２のウェブサイトから独立している、請求項２５に記載のシステム。
（請求項２７）
前記少なくとも１つのプロセッサは、証明書を発行し、該証明書を、複数の有効性が確認された取引活動に関連付けられた購入取引活動に関する購入取引データに含めるように前記第１の有効性確認結果とともに前記第１のウェブサイトに通信するように更に構成され、前記証明書は、前記ユーザが前記購入取引活動を行うことに対する有効性が確認されたことの証明として機能する、請求項２５に記載のシステム。
（請求項２８）
前記証明書は、前記ユーザが前記購入取引活動を行うことに対する年齢要件を満たしたという指示を含む、請求項２７に記載のシステム。
（請求項２９）
ユーザを少なくとも２つのウェブサイトに登録する方法であって、
（ａ）前記ユーザからユーザ登録情報を受信するステップと、
（ｂ）前記ユーザ登録情報を受信した後に、
（１）少なくとも１つのプロセッサを備える少なくとも１つのコンピューティングデバイスによって、前記ユーザに関連付けられた一意のユーザ識別子を割り当てるステップと、
（２）前記一意のユーザ識別子及び前記ユーザ登録情報を関連付けるステップと、
（３）前記一意のユーザ識別子及び前記ユーザ登録情報を前記少なくとも１つのコンピューティングデバイスのメモリに記憶するステップと、
（４）前記一意のユーザ識別子を前記ユーザに提供するステップと、
（ｃ）第１のウェブサイトから第１の登録情報を受信するステップと、
（ｄ）前記第１の登録情報を受信した後に、前記少なくとも１つのプロセッサによって、有効性確認サービスに備えて前記第１のウェブサイトを登録するステップと、
（ｅ）第２のウェブサイトから第２の登録情報を受信するステップと、
（ｆ）前記第２の登録情報を受信した後に、前記少なくとも１つのプロセッサによって、前記有効性確認サービスに備えて前記第２のウェブサイトを登録するステップと、
（ｇ）前記第１のウェブサイトから前記一意のユーザ識別子を受信するステップと、
（ｈ）前記第１のウェブサイトから前記一意のユーザ識別子を受信した後に、
（１）前記少なくとも１つのプロセッサによって、前記有効性確認サービスを適用するステップであって、前記ユーザが前記第１のウェブサイト上でどのような取引活動を行うことができるのかを示す第１の有効性確認結果を取得する、適用するステップと、
（２）前記第１の有効性確認結果を前記第１のウェブサイトに通信するステップと、
（ｉ）前記第２のウェブサイトから前記一意のユーザ識別子を受信するステップと、
（ｊ）前記第２のウェブサイトから前記一意のユーザ識別子を受信した後に、
（１）前記少なくとも１つのプロセッサによって、前記有効性確認サービスを適用するステップであって、前記ユーザが前記第２のウェブサイト上でどのような取引活動を行うことができるのかを示す第２の有効性確認結果を取得する、適用するステップと、
（２）前記第２の有効性確認結果を前記第１のウェブサイトに通信するステップと、
を含む、方法。
（請求項３０）
前記第１のウェブサイトは、前記第２のウェブサイトから独立している、請求項２９に記載の方法。
（請求項３１）
証明書を発行するとともに、該証明書を、複数の有効性が確認された取引活動に関連付けられた購入取引活動に関する購入取引データ内に組み込むように前記第１の有効性確認結果とともに前記第１のウェブサイトに通信するステップを更に含み、前記証明書は、前記ユーザが前記購入取引活動を行うことに対する有効性が確認されたことの証明として機能する、請求項２９に記載の方法。
（請求項３２）
前記証明書は、前記ユーザが前記購入取引活動を行うことに対する年齢要件を満たしたという指示を含む、請求項３１に記載の方法。
（請求項３３）
少なくとも２つのウェブサイトにわたってユーザを監視するシステムであって、
メモリと、
少なくとも１つのプロセッサであって、
（ａ）前記ユーザが１つ又は複数のタイプの取引活動に携わることから自身を排除していることを示す自己排除情報を前記ユーザから受信し、
（ｂ）前記自己排除情報を受信した後に、
（１）前記ユーザを識別する一意のユーザ識別子を前記自己排除情報に関連付け、
（２）前記一意のユーザ識別子及び前記自己排除情報を前記メモリに記憶し、
（ｃ）前記ユーザが、第１のウェブサイト上で提供される１つ又は複数の第１のタイプの取引活動に携わることができるか否かの有効性を確認する第１の要求であって、前記ユーザを識別する情報を含む第１の要求を前記第１のウェブサイトから受信し、
（ｄ）前記第１の要求を受信した後に、
（１）前記一意のユーザ識別子に基づいて前記メモリに照会し、
（２）前記１つ又は複数の排除されたタイプの取引活動が前記第１のタイプの取引活動のうちの少なくとも１つを含むことを示す前記自己排除情報の少なくとも一部分を取り出したことに応答して、前記ユーザが前記第１のウェブサイト上で前記第１のタイプの取引活動のうちの前記少なくとも１つに携わることから排除されているという第１の指示を前記第１のウェブサイトに送信し、
（ｅ）前記ユーザが、第２のウェブサイト上で提供される１つ又は複数の第２のタイプの取引活動に携わることができるか否かの有効性を確認する第２の要求であって、前記ユーザを識別する情報を含む第２の要求を前記第２のウェブサイトから受信し、
（ｆ）前記第２の要求を受信した後に、
（１）前記一意のユーザ識別子に基づいて前記メモリに照会し、
（２）前記１つ又は複数の排除されたタイプの取引活動が前記第２のタイプの取引活動のうちの少なくとも１つを含むことを示す前記自己排除情報の少なくとも一部分を取り出したことに応答して、前記ユーザが前記第２のウェブサイト上で前記第２のタイプの取引活動のうちの前記少なくとも１つに携わることから排除されているという指示を前記第２のウェブサイトに送信する、
ように構成されている、少なくとも１つのプロセッサと、
を備える、システム。
（請求項３４）
前記自己排除情報は、前記ユーザが前記タイプの取引活動に携わることから排除されるように要求する時間期間を示すクールオフ期間を含み、
前記少なくとも１つのプロセッサは、
前記第１のウェブサイトから前記第１の要求を受信した後に、
（１）前記一意のユーザ識別子に基づいて前記メモリに照会し、
（２）前記クールオフ期間がまだ適用されるとともに前記１つ又は複数の排除されたタイプの取引活動が前記第１のタイプの取引活動のうちの少なくとも１つを含むことを示す前記自己排除情報の少なくとも一部分を取り出したことに応答して、前記ユーザが前記第１のウェブサイト上で前記第１のタイプの取引活動のうちの前記少なくとも１つに携わることから排除されているという指示を前記第１のウェブサイトに送信する、
ように更に構成されている、請求項３３に記載のシステム。
（請求項３５）
前記少なくとも１つのプロセッサは、前記第１のウェブサイトから前記第１の要求を受信した後に、（１）前記一意のユーザ識別子に基づいて前記メモリに照会し、（２）前記クールオフ期間がもはや適用されないことを示す前記自己排除情報の少なくとも一部分を取り出したことに応答して、前記ユーザが前記第１のウェブサイト上で前記１つ又は複数の第１のタイプの取引活動に携わることから排除されていないという指示を前記第１のウェブサイトに送信する、ように更に構成されている、請求項３４に記載のシステム。
（請求項３６）
前記少なくとも１つのプロセッサは、
前記ユーザへのヘルプを要求するフラグと、前記ユーザによって用いられているコンピューティングデバイスのＩＰアドレスとを受信し、
前記フラグを受信すると、
（１）前記ＩＰアドレスに基づいて前記ユーザのロケーションを取得し、
（２）ヘルプセンタのリストに照会して、前記ロケーションまでの所定の距離内の１つ又は複数のヘルプセンタを決定し、
（３）前記１つ又は複数のヘルプセンタに関する情報を前記ユーザに送信する、
ように更に構成されている、請求項３３に記載のシステム。
（請求項３７）
前記少なくとも１つのプロセッサは、前記１つ又は複数のヘルプセンタのうちの少なくとも１つによって前記ユーザの連絡を容易にするように更に構成されている、請求項３６に記載のシステム。
（請求項３８）
前記少なくとも１つのプロセッサは、前記１つ又は複数のタイプの取引活動に関する前記受信された自己排除情報を複数のウェブサイトに提供して、該複数のウェブサイト上で前記１つ又は複数のタイプの取引活動に携わることから前記ユーザを排除するために該複数のウェブサイトによって記録されて用いられるようにするよう更に構成されている、請求項３３に記載のシステム。
（請求項３９）
前記少なくとも１つのプロセッサは、州レベル及び連邦レベルのうちの少なくとも一方において前記１つ又は複数のタイプの取引活動に携わることから前記ユーザを排除することを容易にするために、前記１つ又は複数のタイプの取引活動に関する前記受信された自己排除情報を１つ又は複数のデータベースに提供するように構成されている、請求項３３に記載のシステム。
（請求項４０）
前記少なくとも１つのプロセッサは、１つ又は複数の排除データベースをサーチして、前記ユーザの追加の自己排除情報が存在するか否かを判断するように更に構成されている、請求項３３に記載のシステム。
（請求項４１）
前記少なくとも１つのプロセッサは、前記ユーザの追加の自己排除情報を突き止めると、該追加の自己排除情報と、前記１つ又は複数のタイプの取引活動に関する前記受信された自己排除情報とを複数のウェブサイトに提供して、該複数のウェブサイト上で前記１つ又は複数のタイプの取引活動に携わることから前記ユーザを排除するために該複数のウェブサイトによって記録されて用いられるようにするよう更に構成されている、請求項４０に記載のシステム。
（請求項４２）
少なくとも２つのウェブサイトにわたってユーザを監視する方法であって、
（ａ）前記ユーザが１つ又は複数のタイプの取引活動に携わることから自身を排除していることを示す自己排除情報を前記ユーザからネットワークを介して受信するステップと、
（ｂ）前記自己排除情報を受信した後に、
（１）少なくとも１つのプロセッサを備える少なくとも１つのコンピューティングデバイスによって、前記ユーザに関連付けられた一意のユーザ識別子を前記自己排除情報に関連付けるステップと、
（２）前記一意のユーザ識別子及び前記自己排除情報をメモリに記憶するステップと、
（ｃ）前記ユーザが、第２のウェブサイト上で取引活動に携わることができるか否かを検証する要求であって、前記ユーザを識別する情報を含む要求を、前記ネットワークを介して前記第２のウェブサイトから受信するステップと、
（ｄ）前記要求を受信した後に、
（１）前記少なくとも１つのプロセッサによって、前記一意のユーザ識別子に基づいて前記メモリに照会するステップと、
（２）前記１つ又は複数の排除されたタイプの取引活動が第１のタイプの取引活動のうちの少なくとも１つを含むことを示す前記自己排除情報の少なくとも一部分を取り出したことに応答して、前記ユーザが第１のウェブサイト上で前記第１のタイプの取引活動のうちの前記少なくとも１つに携わることから排除されているという指示を前記第１のウェブサイトに送信するステップと、
（ｅ）前記ユーザが、第２のウェブサイト上で提供される１つ又は複数の第２のタイプの取引活動に携わることができるか否かの有効性を確認する第２の要求であって、前記ユーザを識別する情報を含む第２の要求を、前記ネットワークを介して前記第２のウェブサイトから受信するステップと、
（ｆ）前記第２の要求を受信した後に、
（１）前記少なくとも１つのプロセッサによって、前記一意のユーザ識別子に基づいて前記メモリに照会するステップと、
（２）前記１つ又は複数の排除されたタイプの取引活動が前記第２のタイプの取引活動のうちの少なくとも１つを含むことを示す前記自己排除情報の少なくとも一部分を取り出したことに応答して、前記ユーザが前記第２のウェブサイト上で前記第２のタイプの取引活動のうちの前記少なくとも１つに携わることから排除されているという指示を前記第２のウェブサイトに送信するステップと、
を含む、方法。
（請求項４３）
前記自己排除情報は、前記ユーザが前記タイプの取引活動に携わることから排除されるように要求する時間期間を示すクールオフ期間を含み、
該方法は、
前記第１のウェブサイトから前記ネットワークを介して前記要求を受信した後に、
（１）前記少なくとも１つのプロセッサによって、前記一意のユーザ識別子に基づいて前記メモリに照会するステップと、
（２）前記クールオフ期間が適用されるとともに前記１つ又は複数の排除されたタイプの取引活動が前記第１のタイプの取引活動のうちの前記少なくとも１つを含むことを示す前記自己排除情報の少なくとも一部分を取り出したことに応答して、前記少なくとも１つのプロセッサによって、前記ユーザが前記第２のウェブサイト上で前記第１のタイプの取引活動のうちの前記少なくとも１つに携わることから排除されているという指示を、前記ネットワークを介して前記第１のウェブサイトに送信するステップと、
を更に含む、請求項４２に記載の方法。
（請求項４４）
前記ネットワークを介して前記第１のウェブサイトから前記第１の要求を受信した後に、（１）前記少なくとも１つのプロセッサによって、前記一意のユーザ識別子に基づいて前記メモリに照会するステップと、（２）前記クールオフ期間がもはや適用されないことを示す前記自己排除情報の少なくとも一部分を取り出したことに応答して、前記少なくとも１つのプロセッサによって、前記ユーザが前記第１のウェブサイト上で前記１つ又は複数の第１のタイプの取引活動に携わることから排除されていないという指示を、前記ネットワークを介して前記第１のウェブサイトに送信するステップと、を更に含む、請求項４３に記載の方法。
（請求項４５）
前記ユーザへのヘルプを要求するフラグと、前記ユーザによって用いられているコンピューティングデバイスのＩＰアドレスとを受信するステップと、
前記フラグを受信すると、
（１）前記ＩＰアドレスに基づいて前記ユーザのロケーションを取得するステップと、
（２）前記少なくとも１つのプロセッサによって、ヘルプセンタのリストに照会するステップであって、前記ロケーションまでの所定の距離内の１つ又は複数のヘルプセンタを決定する、照会するステップと、
（３）前記１つ又は複数のヘルプセンタに関する情報を、前記ネットワークを介して送信するステップであって、前記ユーザに提示されるようにする、送信するステップと、
を更に含む、請求項４２に記載の方法。
（請求項４６）
前記１つ又は複数のヘルプセンタのうちの少なくとも１つによって前記ユーザの連絡を容易にするステップを更に含む、請求項４５に記載の方法。
（請求項４７）
前記１つ又は複数のタイプの取引活動に関する前記受信された自己排除情報を複数のウェブサイトに提供するステップであって、該複数のウェブサイト上で前記１つ又は複数のタイプの取引活動に携わることから前記ユーザを排除するために該複数のウェブサイトによって記録されて用いられるようにする、提供するステップを更に含む、請求項４２に記載の方法。
（請求項４８）
州レベル及び連邦レベルのうちの少なくとも一方において前記１つ又は複数のタイプの取引活動に携わることから前記ユーザを排除することを容易にするために、前記１つ又は複数のタイプの取引活動に関する前記受信された自己排除情報を１つ又は複数のデータベースに提供するステップを更に含む、請求項４２に記載の方法。
（請求項４９）
１つ又は複数の排除データベースをサーチするステップであって、前記ユーザの追加の自己排除情報が存在するか否かを判断する、サーチするステップを更に含む、請求項４２に記載の方法。
（請求項５０）
前記ユーザの追加の自己排除情報を突き止めると、該追加の自己排除情報と、前記１つ又は複数のタイプの取引活動に関する前記受信された自己排除情報とを複数のウェブサイトに提供して、該複数のウェブサイト上で前記１つ又は複数のタイプの取引活動に携わることから前記ユーザを排除するために該複数のウェブサイトによって記録されて用いられるようにするようにする、提供するステップを更に含む、請求項４９に記載の方法。
（請求項５１）
ユーザが初期インタラクティブセッションに携わっているウェブサイト上で該ユーザが実行することができる取引活動の有効性を確認するシステムであって、
メモリと、
少なくとも１つのプロセッサであって、
（ａ）前記ユーザを識別する初期情報と、前記ユーザが前記ウェブサイトとの前記初期インタラクティブセッションに携わっているという情報とを前記ウェブサイトから受信し、
（ｂ）前記初期情報を受信した後に、
（１）前記ユーザが前記ウェブサイトとのインタラクティブセッション中に携わることができる１つ又は複数の取引活動の有効性を確認し、
（２）有効性が確認された前記１つ又は複数の取引活動と、前記ウェブサイトと、前記ウェブサイトとの前記初期インタラクティブセッションと、に関連付けられたセッション識別子を発行し、
（３）前記セッション識別子を、前記ユーザを識別する前記情報、前記ウェブサイト、及び前記初期インタラクティブセッションとともに前記メモリに記憶する、
ように構成されている、少なくとも１つのプロセッサと、
を備える、システム。
（請求項５２）
１つ又は複数の取引活動の有効性確認は、前記初期インタラクティブセッションについてのみ有効である、請求項５１に記載のシステム。
（請求項５３）
前記１つ又は複数の取引活動は、複数の取引活動を含む、請求項５１に記載のシステム。
（請求項５４）
前記セッション識別子は、前記複数の有効性が確認された取引活動のリストを含み、該リストは、前記セッション識別子の発行の際に前記ウェブサイトに自動的に送信される、請求項５３に記載のシステム。
（請求項５５）
前記少なくとも１つのプロセッサは、
（ａ）前記ユーザが前記ウェブサイトとの前記インタラクティブセッションに携わっている間に第１の取引活動を実行したいことを示す情報を受信し、
（ｂ）前記ユーザが前記第１の取引活動を実行したいことを示す前記情報を受信した後に、
（１）前記第１の取引活動が、前記セッション識別子に関連付けられた前記複数の有効性が確認された取引活動に含まれるか否かを示す第１の結果を求め、
（２）前記第１の結果を求めた後に、
（ａ）前記ウェブサイトに前記第１の結果を知らせ、
（ｂ）前記第１の取引活動を示す情報を前記セッション識別子に関連付け、
（ｃ）前記ユーザが前記ウェブサイトとの前記インタラクティブセッションに携わっている間に１つ又は複数のその後の取引活動を実行したいことを示す情報を受信し、
（ｄ）前記ユーザが前記１つ又は複数のその後の取引活動を実行したいことを示す前記情報を受信した後に、前記１つ又は複数のその後の取引活動の各その後の取引活動について、該その後の取引活動が、前記セッション識別子に関連付けられた前記複数の有効性が確認された取引活動に含まれるか否かを示すその後の結果を求め、
（ｅ）前記その後の結果を求めた後に、
（１）前記ウェブサイトに前記その後の結果を知らせ、
（２）前記ユーザが前記ウェブサイトとの前記インタラクティブセッションに携わっている状態にある限り、前記その後の取引活動を示す情報を前記セッション識別子とともに記憶する、
ように更に構成されている、請求項５３に記載のシステム。
（請求項５６）
前記第１の結果及び前記その後の結果は、前記第１の取引活動及び前記その後の取引活動に基づく様々な管轄に支払うべき納税を生み出すのに用いられるとともに、前記ユーザ及び前記様々な管轄への税金報告に用いられる、請求項５５に記載のシステム。
（請求項５７）
前記少なくとも１つのプロセッサは、
（ａ）前記ユーザが前記ウェブサイトとのその後のインタラクティブセッションを開始した後に、前記ユーザを識別するその後の情報を前記ウェブサイトから受信し、
（ｂ）前記その後の情報を受信した後に、
（１）前記ユーザと、前記ウェブサイトと、前記ウェブサイトとの前記その後のインタラクティブセッションと、に関連付けられた第２のセッション識別子を発行し、
（２）前記第２のセッション識別子を、前記ユーザを識別する前記情報、前記ウェブサイト、及び前記その後のインタラクティブセッションとともに前記メモリに記憶し、
（ｃ）前記ユーザが前記ウェブサイトとの前記その後のインタラクティブセッションに携わっている間に第１の取引活動を実行したいことを示す情報を受信し、
（ｄ）前記ユーザが前記第１の取引活動を実行したいことを示す前記情報を受信した後に、
（１）前記第１の取引活動が、前記第２のセッション識別子に関連付けられた前記複数の有効性が確認された取引活動に含まれるか否かを示す第１の結果を求め、
（２）前記第１の結果を求めた後に、
（ａ）前記ウェブサイトに前記第１の結果を知らせ、
（ｂ）前記第１の取引活動を示す情報を前記第２のセッション識別子に関連付け、
（ｅ）前記ユーザが前記ウェブサイトとの前記その後のインタラクティブセッションに携わっている間に１つ又は複数のその後の取引活動を実行したいことを示す情報を受信し、
（ｆ）前記ユーザが前記１つ又は複数のその後の取引活動を実行したいことを示す前記情報を受信した後に、前記１つ又は複数のその後の取引活動の各その後の取引活動について、該その後の取引活動が、前記第２のセッション識別子に関連付けられた前記複数の有効性が確認された取引活動に含まれるか否かを示すその後の結果を求め、
（ｇ）前記その後の結果を求めた後に、
（１）前記ウェブサイトに前記その後の結果を知らせ、
（２）前記ユーザが前記ウェブサイトとの前記その後のインタラクティブセッションに携わっている状態にある限り、前記その後の取引活動を示す情報を前記第２のセッション識別子とともに記憶する、
ように更に構成されている、請求項５３に記載のシステム。
（請求項５８）
前記ユーザはプレイヤであり、前記ウェブサイトはギャンブルウェブサイトであり、前記複数の取引活動は、前記ギャンブルウェブサイト上での１つ又は複数のギャンブル活動を含む、請求項５３に記載のシステム。
（請求項５９）
前記ユーザが前記ウェブサイトとの前記インタラクティブセッション中に携わることができる前記複数の取引活動の有効性を確認することは、前記少なくとも１つのプロセッサが、
前記ユーザが前記事業者ウェブサイトとの前記インタラクティブセッションに携わるのに用いているコンピューティングデバイスのＩＰアドレスを受信し、
前記ＩＰアドレスをロケーションチェックシステムに送信し、
前記コンピューティングデバイスのロケーションを前記ロケーションチェックシステムから取得し、
前記ユーザが前記複数の取引活動に携わることを認められている管轄に前記ユーザがいるか否かを、前記ロケーションに基づいて、合理的保証を伴って判断する、
ように構成されていることを含む、請求項５３に記載のシステム。
（請求項６０）
前記ロケーションチェックシステムは、ジオＩＰチェックシステム、登録相関システム、モバイルロケータシステム、無線ロケータシステム、レイテンシ解析システム、及びそのようなシステムのうちの１つ又は複数の様々な組み合わせのうちの任意のものからなる群から選択される、請求項５９に記載のシステム。
（請求項６１）
前記ユーザが前記複数の取引活動に携わることを認められている管轄に前記ユーザがいないと判断した後に、前記少なくとも１つのプロセッサは、前記ユーザが前記ウェブサイトとの前記インタラクティブセッション中に前記複数の取引活動に携わることを禁止することを容易にする情報を前記ウェブサイトに送信するように構成されている、請求項５９に記載のシステム。
（請求項６２）
前記ロケーションチェックシステムが、前記コンピューティングデバイスの前記ロケーションを返さなかった後は、前記少なくとも１つのプロセッサは、前記ユーザのモバイル電話番号をモバイルロケータシステムに送信することによって前記ロケーションを取得するように構成され、前記モバイルロケータシステムは、少なくとも前記モバイル電話番号に基づいて前記コンピューティングデバイスの前記ロケーションを返す、請求項５９に記載のシステム。
（請求項６３）
ユーザが初期インタラクティブセッションに携わっているウェブサイト上で該ユーザが実行したい取引活動の有効性を確認する方法であって、
（ａ）前記ユーザを識別するとともに前記ユーザが前記ウェブサイトとの前記初期インタラクティブセッションに携わっていることを示す初期情報を、ネットワークを介して前記ウェブサイトから受信するステップと、
（ｂ）前記初期情報を受信した後に、
（１）少なくとも１つのプロセッサを備える少なくとも１つのコンピューティングデバイスによって、前記ユーザが前記ウェブサイトとのインタラクティブセッション中に携わることができる１つ又は複数の取引活動の有効性を確認するステップと、
（２）前記少なくとも１つのプロセッサによって、有効性が確認された前記１つ又は複数の取引活動と、前記ウェブサイトと、前記ウェブサイトとの前記初期インタラクティブセッションと、に関連付けられたセッション識別子を発行するステップと、
（３）前記セッション識別子を、前記ユーザを識別する前記情報、前記ウェブサイト、及び前記初期インタラクティブセッションとともにメモリに記憶するステップと、
を含む、方法。
（請求項６４）
前記１つ又は複数の取引活動の有効性を確認するステップは、前記初期インタラクティブセッションについてのみ有効である、請求項６３に記載の方法。
（請求項６５）
前記１つ又は複数の取引活動は、複数の取引活動を含む、請求項６３に記載の方法。
（請求項６６）
前記複数の有効性が確認された取引活動のリストを、前記セッション識別子の発行の際に前記ウェブサイトに送信するステップを更に含み、前記複数の有効性が確認された取引活動の前記リストは、前記セッション識別子内に組み込まれる、請求項６５に記載の方法。
（請求項６７）
（ａ）前記ユーザが前記ウェブサイトとの前記インタラクティブセッションに携わっている間に第１の取引活動を実行したいことを示す情報を前記ネットワークを介して受信するステップと、
（ｂ）前記ユーザが前記第１の取引活動を実行したいことを示す前記情報を受信した後に、
（１）前記少なくとも１つのプロセッサによって、前記第１の取引活動が、前記セッション識別子に関連付けられた前記複数の有効性が確認された取引活動に含まれるか否かを示す第１の結果を求めるステップと、
（２）前記第１の結果を求めた後に、
（ａ）前記ウェブサイトに前記第１の結果を知らせるステップと、
（ｂ）前記第１の取引活動を示す情報を前記セッション識別子に関連付けるステップと、
（ｃ）前記ユーザが前記ウェブサイトとの前記インタラクティブセッションに携わっている間に１つ又は複数のその後の取引活動を実行したいことを示す情報を、前記ネットワークを介して受信するステップと、
（ｄ）前記ユーザが前記１つ又は複数のその後の取引活動を実行したいことを示す前記情報を受信した後に、前記少なくとも１つのプロセッサによって、前記１つ又は複数のその後の取引活動の各その後の取引活動について、該その後の取引活動が、前記セッション識別子に関連付けられた前記複数の有効性が確認された取引活動に含まれるか否かを示すその後の結果を求めるステップと、
（ｅ）前記その後の結果を求めた後に、
（１）前記ウェブサイトに前記その後の結果を知らせるステップと、
（２）前記ユーザが前記ウェブサイトとの前記インタラクティブセッションに携わっている状態にある限り、前記その後の取引活動を示す情報を前記セッション識別子とともに前記メモリに記憶するステップと、
を更に含む、請求項６５に記載の方法。
（請求項６８）
前記第１の結果及び前記その後の結果は、前記第１の取引活動及び前記その後の取引活動に関して様々な管轄に支払うべき納税を生み出すのに用いられるとともに、前記ユーザ及び前記様々な管轄への税金報告に用いられる、請求項６７に記載の方法。
（請求項６９）
（ａ）前記ユーザが前記ウェブサイトとのその後のインタラクティブセッションを開始した後に、前記ユーザを識別する情報を前記ネットワークを介して前記ウェブサイトから受信するステップと、
（ｂ）前記情報を受信した後に、
（１）前記少なくとも１つのプロセッサによって、前記ユーザと、前記ウェブサイトと、前記ウェブサイトとの前記その後のインタラクティブセッションと、に関連付けられた第２のセッション識別子を発行するステップと、
（２）前記第２のセッション識別子を、前記ユーザを識別する前記情報、前記ウェブサイト、及び前記その後のインタラクティブセッションとともに前記メモリに記憶するステップと、
（ｃ）前記ユーザが前記ウェブサイトとの前記その後のインタラクティブセッションに携わっている間に第１の取引活動を実行したいことを示す情報を受信するステップと、
（ｄ）前記ユーザが前記第１の取引活動を実行したいことを示す前記情報を受信した後に、
（１）前記少なくとも１つのプロセッサによって、前記第１の取引活動が、前記第２のセッション識別子に関連付けられた前記複数の有効性が確認された取引活動に含まれるか否かを示す第１の結果を求めるステップと、
（２）前記第１の結果を求めた後に、
（ａ）前記ウェブサイトに前記第１の結果を知らせるステップと、
（ｂ）前記第１の取引活動を示す情報を前記第２のセッション識別子に関連付けるステップと、
（ｅ）前記ユーザが前記ウェブサイトとの前記その後のインタラクティブセッションに携わっている間に１つ又は複数のその後の取引活動を実行したいことを示す情報を、前記ネットワークを介して受信するステップと、
（ｆ）前記ユーザが前記１つ又は複数のその後の取引活動を実行したいことを示す前記情報を受信した後に、前記少なくとも１つのプロセッサによって、前記１つ又は複数のその後の取引活動の各その後の取引活動について、該その後の取引活動が、前記第２のセッション識別子に関連付けられた前記複数の有効性が確認された取引活動に含まれるか否かを示すその後の結果を求めるステップと、
（ｇ）前記その後の結果を求めた後に、
（１）前記ウェブサイトに前記その後の結果を知らせるステップと、
（２）前記ユーザが前記事業者ウェブサイトとの前記その後のインタラクティブセッションに携わっている状態にある限り、前記その後の取引活動を示す情報を前記第２のセッション識別子とともに前記メモリに記憶するステップと、
を更に含む、請求項６５に記載の方法。
（請求項７０）
前記ユーザはプレイヤであり、前記ウェブサイトはギャンブルウェブサイトであり、前記複数の取引活動は、前記ギャンブルウェブサイト上での１つ又は複数のギャンブル活動を含む、請求項６５に記載の方法。
（請求項７１）
前記ユーザが前記ウェブサイトとの前記インタラクティブセッション中に携わることができる前記複数の取引活動の有効性を確認するステップは、
（ａ）前記ユーザが前記事業者ウェブサイトとの前記インタラクティブセッションに携わるのに用いているコンピューティングデバイスのＩＰアドレスを受信するサブステップと、
（ｂ）前記ＩＰアドレスをロケーションチェックシステムに送信するサブステップと、
（ｃ）前記コンピューティングデバイスのロケーションを前記ロケーション決定システムから取得するサブステップと、
（ｄ）前記少なくとも１つのプロセッサによって、前記ユーザが前記複数の取引活動に携わることを認められている管轄に前記ユーザがいるか否かを、前記ロケーションに基づいて判断するサブステップと、
を含む、請求項６５に記載の方法。
（請求項７２）
前記ＩＰアドレスをロケーションチェックシステムに送信するステップは、前記ＩＰアドレスを、ジオＩＰチェックシステム、登録相関システム、モバイルロケータシステム、無線ロケータシステム、及びレイテンシ解析システムのうちの少なくとも１つに送信するステップを含む、請求項７１に記載の方法。
（請求項７３）
前記ユーザが前記複数の取引活動に携わることを認められている管轄に前記ユーザがいないと判断した後に、前記ユーザが前記ウェブサイトとの前記インタラクティブセッション中に前記複数の取引活動に携わることを禁止することを容易にする情報を前記ウェブサイトに送信するステップを更に含む、請求項７１に記載の方法。
（請求項７４）
前記ロケーションチェックシステムが、前記コンピューティングデバイスの前記ロケーションを返さなかった後は、前記少なくとも１つのプロセッサによって、前記ユーザのモバイル電話番号をモバイルロケータシステムに送信して前記ロケーションを取得するステップを更に含み、前記モバイルロケータシステムは、前記モバイル電話番号に基づいて前記コンピューティングデバイスの前記ロケーションを返す、請求項７１に記載の方法。
（請求項７５）
ユーザがインタラクティブセッションに携わっているウェブサイト上で該ユーザが実行することができる１つ又は複数の取引活動の有効性を確認するシステムであって、
少なくとも１つのプロセッサであって、
（ａ）前記ウェブサイトとの前記インタラクティブセッションに携わっている前記ユーザを識別する情報を受信し、
（ｂ）前記情報を受信した後に、
（１）前記ユーザが前記ウェブサイトとの前記インタラクティブセッション中に携わることができる前記１つ又は複数のタイプの取引活動の有効性を確認し、
（２）有効性が確認された前記１つ又は複数の取引活動と、前記ウェブサイトと、前記ウェブサイトとの前記インタラクティブセッションと、に関連付けられたセッション識別子を発行し、
（３）前記セッション識別子及び前記１つ又は複数の有効性が確認された取引活動のタイプを前記ウェブサイトに送信する、
ように構成された少なくとも１つのプロセッサを備え、前記セッション識別子及び前記１つ又は複数の有効性が確認された取引活動は、前記ユーザが前記ウェブサイトとの前記インタラクティブセッションに携わっている状態にある限り、前記ユーザが前記ウェブサイト上で１つ又は複数の取引活動を実行することができるか否かを、前記１つ又は複数の有効性が確認された取引活動に基づいて判断するとともに、前記１つ又は複数の取引活動を前記セッション識別子に関連付けるように、前記ウェブサイトによって用いられるよう構成されている、システム。
（請求項７６）
前記１つ又は複数の取引活動は、１つ又は複数の制限された製品の購入を含む、請求項７５に記載のシステム。
（請求項７７）
前記１つ又は複数の制限された製品は、タバコ含有製品、アルコール含有製品、武器指向製品、薬物指向製品、成人指向製品、及び爆発指向製品からなる群から選択される、請求項７６に記載のシステム。
（請求項７８）
前記１つ又は複数の制限された製品は、ユーザの年齢、管轄、前科、自己排除判定基準、及び１つ又は複数の排除データベース内にあるもののうちの少なくとも１つに基づいて、制限された製品として部分的に規定される、請求項７６に記載のシステム。
（請求項７９）
前記セッション識別子は、前記ユーザが購入取引活動を行うことについて有効性が確認された証明として機能する証明書を含み、
前記プロセッサは、前記購入取引活動に関する購入取引データ内に組み込むように前記証明書を前記ウェブサイトに送信するよう更に構成されている、請求項７５に記載のシステム。
（請求項８０）
前記１つ又は複数の取引活動の有効性を確認することは、前記少なくとも１つのプロセッサが、
前記ユーザが前記事業者ウェブサイトとの前記インタラクティブセッションに携わるのに用いているコンピューティングデバイスのＩＰアドレスを受信し、
前記ＩＰアドレスをロケーションチェックシステムに送信し、
前記コンピューティングデバイスのロケーションを前記ロケーションチェックシステムから取得し、
前記ユーザが前記１つ又は複数の取引活動に携わることを認められている管轄に前記ユーザがいるか否かを、前記ロケーションに基づいて判断する、
ように構成されていることを含む、請求項７５に記載のシステム。
（請求項８１）
前記ロケーションチェックシステムは、ジオＩＰチェックシステム、登録相関システム、モバイルロケータシステム、無線ロケータシステム、レイテンシ解析システム、及びそのようなシステムのうちの１つ又は複数の様々な組み合わせのうちの任意のもの、からなる群から選択される、請求項８０に記載のシステム。
（請求項８２）
前記ロケーションチェックシステムが、前記コンピューティングデバイスの前記ロケーションを返さなかった後は、前記少なくとも１つのプロセッサは、前記ユーザのモバイル電話番号をモバイルロケータシステムに送信することによって前記ロケーションを取得するように構成され、前記モバイルロケータシステムは、前記モバイル電話番号に基づいて前記コンピューティングデバイスの前記ロケーションを返す、請求項８０に記載のシステム。
（請求項８３）
ユーザがインタラクティブセッションに携わっているウェブサイト上で該ユーザが実行することができる１つ又は複数の取引活動の有効性を確認する方法であって、
（ａ）前記ウェブサイトとの前記インタラクティブセッションに携わっている前記ユーザを識別する情報を受信するステップと、
（ｂ）前記情報を受信した後に、
（１）少なくとも１つのコンピュータプロセッサによって、前記ユーザが前記ウェブサイトとの前記インタラクティブセッション中に携わることができる前記１つ又は複数の取引活動の有効性を確認するステップと、
（２）有効性が確認された前記１つ又は複数の取引活動と、前記ウェブサイトと、前記事業者ウェブサイトとの前記インタラクティブセッションと、に関連付けられたセッション識別子を発行するステップと、
（３）前記セッション識別子及び前記１つ又は複数の有効性が確認された取引活動のタイプを前記ウェブサイトに送信するステップと、
を含み、前記セッション識別子及び前記１つ又は複数の有効性が確認されたタイプの取引活動は、前記ユーザが前記ウェブサイトとの前記インタラクティブセッションに携わっている状態にある限り、前記ユーザが前記ウェブサイト上で１つ又は複数の取引活動を実行することができるか否かを、前記１つ又は複数の有効性が確認された取引活動に基づいて判断するとともに、前記１つ又は複数の取引活動を前記セッション識別子に関連付けるように、前記ウェブサイトによって用いられるよう構成されている、方法。
（請求項８４）
前記１つ又は複数の取引活動は、１つ又は複数の制限された製品の購入を含む、請求項８３に記載の方法。
（請求項８５）
前記１つ又は複数の制限された製品は、タバコ含有製品、アルコール含有製品、武器指向製品、薬物指向製品、成人指向製品、及び爆発指向製品からなる群から選択される、請求項８４に記載の方法。
（請求項８６）
前記１つ又は複数の制限された製品は、ユーザの年齢、管轄、前科、自己排除判定基準、及び１つ又は複数の排除データベース内にあるもの、のうちの少なくとも１つに基づいて、制限された製品として部分的に規定される、請求項８４に記載の方法。
（請求項８７）
前記セッション識別子は、前記ユーザが購入取引活動を行うことについて有効性が確認された証明として機能する証明書を含み、
該方法は、前記購入取引活動に関する購入取引データ内に組み込むように前記証明書を前記ウェブサイトに送信するステップを更に含む、請求項８４に記載の方法。
（請求項８８）
前記１つ又は複数の取引活動の有効性を確認するステップは、
前記ユーザが前記事業者ウェブサイトとの前記インタラクティブセッションに携わるのに用いているコンピューティングデバイスのＩＰアドレスを受信するステップと、
前記ＩＰアドレスをロケーションチェックシステムに送信するステップと、
前記コンピューティングデバイスのロケーションを前記ロケーションチェックシステムから取得するステップと、
前記少なくとも１つのコンピュータプロセッサによって、前記ユーザが前記１つ又は複数の取引活動に携わることを認められている管轄に前記ユーザがいるか否かを、前記ロケーションに基づいて判断するステップと、
を含む、請求項８３に記載の方法。
（請求項８９）
前記ロケーションチェックシステムは、ジオＩＰチェックシステム、登録相関システム、モバイルロケータシステム、無線ロケータシステム、レイテンシ解析システム、及びそのようなシステムのうちの１つ又は複数の様々な組み合わせのうちの任意のもの、からなる群から選択される、請求項８８に記載の方法。
（請求項９０）
前記ロケーションチェックシステムが、前記コンピューティングデバイスの前記ロケーションを返さなかった後は、前記ユーザのモバイル電話番号をモバイルロケータシステムに送信して前記ロケーションを取得するステップを更に含み、前記モバイルロケータシステムは、前記モバイル電話番号に基づいて前記コンピューティングデバイスの前記ロケーションを返す、請求項８８に記載の方法。
（請求項９１）
複数のユーザを１つ又は複数のウェブサイトにわたって監視するシステムであって、前記１つ又は複数のウェブサイトは互いに独立し、該システムは、
メモリと、
少なくとも１つのプロセッサであって、
（ａ）前記複数のユーザの取引情報であって、前記１つ又は複数のウェブサイト上で取引活動に携わっている前記複数のユーザに関係した行動を識別する１つ又は複数の属性を含む取引情報を、前記１つ又は複数のウェブサイトから受信し、
（ｂ）前記取引情報を受信した後に、
（１）前記取引情報に基づいて行動規範を求め、
（２）前記複数のユーザの個々の各ユーザの前記取引情報からの前記１つ又は複数の属性を前記行動規範と比較し、
（３）前記複数のユーザの個々のユーザを、潜在的に問題のあるユーザであって、前記行動規範から逸脱した少なくとも１つの属性を有する前記複数のユーザの個々の各ユーザを含む潜在的に問題のあるユーザ、として識別し、
（４）前記潜在的に問題のあるユーザに関する情報であって、個々の各ユーザの前記少なくとも１つの逸脱した属性に関する情報を含む情報を、前記メモリに保存し、
（５）前記取引情報の前記属性を、確認された問題のあるユーザの前記取引情報の前記属性と比較し、潜在的に問題のあるユーザを示すことができる類似点を識別し、そのような情報を前記メモリに保存する、
ように構成されている、少なくとも１つのプロセッサと、
を備える、システム。
（請求項９２）
前記少なくとも１つのプロセッサは、特定のユーザが潜在的に問題のあるユーザであるか否かを識別する要求をウェブサイトから受信した後に、
前記特定のユーザの識別子に基づいて前記メモリに照会し、
前記特定のユーザに関する情報が前記メモリに保存されているか否かを判断し、
前記特定のユーザについて情報が保存されていると判断した後、前記特定のユーザが潜在的に問題のあるユーザとして識別されたことを示す応答を前記ウェブサイトに送信する、
ように構成されている、請求項９１に記載のシステム。
（請求項９３）
前記１つ又は複数の属性は、（１）購入の額及び頻度、（２）入金の額及び頻度、（３）賭け事の額及び頻度、（４）購入の額に対して少なくとも２つの前記ウェブサイトによって設定された限定、（５）入金の額に対して少なくとも２つの前記ウェブサイトによって設定された限定、（６）賭け事の額に対して少なくとも２つの前記ウェブサイトによって設定された限定、（７）購入の頻度に対して少なくとも２つの前記ウェブサイトによって設定された限定、（８）入金の頻度に対して少なくとも２つの前記ウェブサイトによって設定された限定、（９）賭け事の頻度に対して少なくとも２つの前記ウェブサイトによって設定された限定、（１０）購入の額に対して前記複数のユーザによって設定された限定、（１１）入金の額に対して前記複数のユーザによって設定された限定、（１２）賭け事の額に対して前記複数のユーザによって設定された限定、（１３）購入の頻度に対して前記複数のユーザによって設定された限定、（１４）入金の頻度に対して前記複数のユーザによって設定された限定、（１５）賭け事の頻度に対して前記複数のユーザによって設定された限定、（１６）前記複数のユーザの自己排除の履歴、（１７）少なくとも２つの前記ウェブサイトによって課された排除の履歴、（１８）前記複数のユーザの排除後の再活動の履歴、（１９）前記複数のユーザの永久排除の履歴、（２０）前記複数のユーザに関連付けられたロケーション、（２１）前記複数のユーザによって用いられるデバイスの数及び該デバイスの繰り返し使用回数、（２２）チャージバック、払い戻し、及び下落を含む前記複数のユーザの異議申し立ての履歴、（２３）前記複数のユーザの年齢、（２４）前記複数のユーザのクレジットスコア、（２５）前記複数のユーザが少なくとも２つの前記ウェブサイトに登録されている時間期間、（２６）賞金及び損失の額に関する複数のユーザの履歴、又は（２７）少なくとも２つの前記ウェブサイト上で前記複数のユーザが携わる活動のタイプ、のうちの１つ又は複数を含む、請求項９１に記載のシステム。
（請求項９４）
前記１つ又は複数の行動規範は、次の行動、すなわち、（１）購入の額、（２）入金の額、（３）入金の頻度、（４）製品タイプ別の購入、（５）活動タイプ別の賭け事、（６）購入の額、（７）賭け事の額、（８）賭け事の頻度、（９）年齢層別の購入の額、（１０）年齢層別の入金の額、（１１）年齢層別の購入の頻度、（１２）年齢層別の入金の頻度、（１３）年齢層別の賭け事の額、（１４）年齢層別の賭け事の頻度、（１５）購入のパターン、（１６）入金のパターン、（１７）賭け事のパターン、（１８）ウェブサイトが設定した限定に対するユーザの動作の近似性、（１９）ユーザが設定した限定に対するユーザの動作の近似性、（２０）入金に対する正味の賞金のプロファイル、（２１）賭け事に対する正味の賞金のプロファイル、（２２）入金に対する正味の損失のプロファイル、又は（２３）賭け事に対する正味の損失のプロファイル、のうちの１つ又は複数について判断される、請求項９１に記載のシステム。
（請求項９５）
前記１つ又は複数のウェブサイトは、少なくとも２つのウェブサイトを含む、請求項９４に記載のシステム。
（請求項９６）
前記１つ又は複数の行動規範は、前記少なくとも２つのウェブサイトのそれぞれに固有である、請求項９５に記載のシステム。
（請求項９７）
前記１つ又は複数の行動規範は、１つ又は複数の所定のユーザグループに固有である、請求項９５に記載のシステム。
（請求項９８）
前記１つ又は複数の行動規範は、前記少なくとも２つのウェブサイトのうちの単一のウェブサイトにわたる２人以上のユーザの行動に少なくとも部分的に基づいて求められる、請求項９５に記載のシステム。
（請求項９９）
前記１つ又は複数の行動規範は、前記少なくとも２つのウェブサイトのそれぞれにわたる少なくとも１人のユーザ又は少なくとも１つのユーザグループの行動に少なくとも部分的に基づいている、請求項９５に記載のシステム。
（請求項１００）
前記行動規範から逸脱している前記少なくとも１つの属性は、（１）購入の頻度の増大、（２）入金の頻度の増大、（３）購入の額の増大、（４）入金の額の増大、（５）賭け事の頻度の増大、（６）賭け事の額の増大、（７）購入の頻度に関する異常な行動、（８）購入の額に関する異常な行動、（９）入金の頻度に関する異常な行動、（１０）入金の額に関する異常な行動、（１１）賭け事の頻度に関する異常な行動、（１２）賭け事の額に関する異常な行動、（１３）チャージバック要求の頻度に関する異常な行動、（１４）異議申し立ての頻度に関する異常な行動、（１５）自身、ウェブサイト、又は州による活動に携わることからの排除の指し示し、（１６）ヘルプを要求する指し示し、（１７）クレジットカードの使用における債務不履行の指し示し、（１８）支払い不能の指し示し、（１９）セッション時間の長さの増大、及び（２０）所定の期間を超えるセッション時間の累積長の増大、のうちの１つ又は複数を含む、請求項９１に記載のシステム。
（請求項１０１）
前記行動規範から逸脱している前記少なくとも１つの属性は、ヘルプを要求する指し示しを含み、該ヘルプの要求は、該システムが前記ヘルプの要求を提出するオプションを前記ユーザに提示した後に受信され、該オプションは、少なくとも１つの追加の属性が前記行動規範から逸脱していることに応答して生成される、請求項１００に記載のシステム。
（請求項１０２）
前記行動規範からの前記逸脱は、個々のウェブサイトに固有である、請求項１００に記載のシステム。
（請求項１０３）
複数のユーザを１つ又は複数のウェブサイトにわたって監視する方法であって、前記１つ又は複数のウェブサイトは互いに独立し、該方法は、
（ａ）前記複数のユーザの取引情報を前記１つ又は複数のウェブサイトからネットワークを介して受信するステップであって、該取引情報は、前記１つ又は複数のウェブサイト上で取引活動に携わっている前記複数のユーザに関係した行動を識別する１つ又は複数の属性を含む、受信するステップと、
（ｂ）前記取引情報を受信した後に、
（１）少なくとも１つのプロセッサを備える少なくとも１つのコンピューティングデバイスによって、前記取引情報に基づいて行動規範を求めるステップと、
（２）前記少なくとも１つのプロセッサによって、前記複数のユーザの個々の各ユーザの前記取引情報からの前記１つ又は複数の属性を前記行動規範と比較するステップと、
（３）前記複数のユーザの個々のユーザを潜在的に問題のあるユーザとして識別するステップであって、該潜在的に問題のあるユーザは、前記行動規範から逸脱した少なくとも１つの属性を有する前記複数のユーザの個々の各ユーザを含む、識別するステップと、
（４）前記潜在的に問題のあるユーザに関する情報をメモリに保存するステップであって、該情報は、個々の各ユーザの前記少なくとも１つの逸脱した属性に関する情報を含む、保存するステップと、
（５）前記取引情報の前記属性を、確認された問題のあるユーザの前記取引情報の前記属性と比較し、潜在的に問題のあるユーザを示すことができる類似点を識別し、そのような情報を前記メモリに保存するステップと、
を含む、方法。
（請求項１０４）
特定のユーザが潜在的に問題のあるユーザであるか否かを識別する要求をウェブサイトから受信した後に、
前記少なくとも１つのプロセッサによって、前記特定のユーザの識別子に基づいて前記メモリを照会するステップと、
前記特定のユーザに関する情報が前記メモリに保存されているか否かを判断するステップと、
前記特定のユーザについて情報が保存されていると判断した後、前記特定のユーザが潜在的に問題のあるユーザとして識別されたことを示す応答を、前記ネットワークを介して前記ウェブサイトに送信するステップと、
を更に含む、請求項１０３に記載の方法。
（請求項１０５）
前記ウェブサイトは、前記特定のユーザが潜在的に問題のあるユーザとして識別されたことを示す前記応答を受信した結果として、該特定のユーザが前記ウェブサイト上で取引活動に携わることを禁止する、請求項１０４に記載の方法。
（請求項１０６）
潜在的に問題のあるユーザについての少なくとも１つの早期警報インジケータを識別するシステムであって、前記少なくとも１つの早期警報インジケータは、問題行動のより高い発生率を予測する因子を含み、該システムは、
少なくとも１つのプロセッサであって、
（ａ）互いに独立した少なくとも２つのウェブサイトから、複数のユーザの取引情報であって、前記少なくとも２つのウェブサイト上で取引活動に携わっている前記複数のユーザに関係した行動を識別する１つ又は複数の属性を含む取引情報、を受信し、
（ｂ）前記取引情報を受信した後に、
（１）前記取引情報に基づいて少なくとも１つの行動規範を求め、
（２）前記複数のユーザの個々の各ユーザの前記取引情報からの前記１つ又は複数の属性を前記少なくとも１つの行動規範と比較し、
（３）前記複数のユーザの個々のユーザを、潜在的に問題のあるユーザであって、前記少なくとも１つの行動規範から逸脱した少なくとも１つの属性を有する前記複数のユーザの個々の各ユーザを含む潜在的に問題のあるユーザ、として識別し、
（４）前記潜在的に問題のあるユーザについて識別された前記少なくとも１つの逸脱した属性に基づいた前記少なくとも１つの早期警報インジケータを作成する、
ように構成された少なくとも１つのプロセッサを備える、システム。
（請求項１０７）
前記少なくとも１つの早期警報インジケータは、（１）購入の頻度の増大、（２）入金の頻度の増大、（３）購入の額の増大、（４）入金の額の増大、（５）賭け事の頻度の増大、（６）賭け事の額の増大、（７）購入の頻度に関する異常な行動、（８）購入の額に関する異常な行動、（９）入金の頻度に関する異常な行動、（１０）入金の額に関する異常な行動、（１１）賭け事の頻度に関する異常な行動、（１２）賭け事の額に関する異常な行動、（１３）チャージバック要求の頻度に関する異常な行動、（１４）異議申し立ての頻度に関する異常な行動、（１５）自身、ウェブサイト、又は州による活動に携わることからの排除の指し示し、（１６）ヘルプを要求する指し示し、（１７）クレジットカードの使用における債務不履行の指し示し、（１８）支払い不能の指し示し、（１９）セッション時間の長さの増大、及び（２０）所定の期間を超えるセッション時間の累積長の増大、のうちの１つ又は複数を含む、請求項１０６に記載のシステム。
（請求項１０８）
前記少なくとも１つの早期警報インジケータは、ヘルプを要求する指し示しを含み、該ヘルプの要求は、該システムが前記ヘルプの要求を提出するオプションを前記ユーザに提示した後に受信され、該オプションは、少なくとも１つの追加の早期警報インジケータが前記ユーザについて識別されたことに応答して生成される、請求項１０７に記載のシステム。
（請求項１０９）
前記少なくとも１つのプロセッサは、前記少なくとも２つのウェブサイトのうちの少なくとも１つが、前記早期警報インジケータを用いて、該ウェブサイトを訪問するユーザから潜在的に問題のあるユーザを識別することができるように、前記少なくとも１つの早期警報インジケータを前記少なくとも１つのウェブサイトに送信するように構成されている、請求項１０６に記載のシステム。
（請求項１１０）
潜在的に問題のあるユーザについての少なくとも１つの早期警報インジケータを識別する方法であって、
（ａ）複数のユーザの取引情報を少なくとも２つのウェブサイトからネットワークを介して受信するステップであって、前記取引情報は、前記少なくとも２つのウェブサイト上で取引活動に携わっている前記複数のユーザに関係した行動を識別する１つ又は複数の属性を含む、受信するステップと、
（ｂ）前記取引情報を受信した後に、
（１）少なくとも１つのプロセッサを備える少なくとも１つのコンピューティングデバイスによって、前記取引情報に基づいて少なくとも１つの行動規範を求めるステップと、
（２）前記少なくとも１つのプロセッサによって、前記複数のユーザの個々の各ユーザの前記取引情報からの前記１つ又は複数の属性を前記少なくとも１つの行動規範と比較するステップと、
（３）前記複数のユーザの個々のユーザを潜在的に問題のあるユーザとして識別するステップであって、該潜在的に問題のあるユーザは、前記少なくとも１つの行動規範から逸脱した少なくとも１つの属性を有する前記複数のユーザの個々の各ユーザを含む、識別するステップと、
（４）前記少なくとも１つの早期警報インジケータを作成するステップであって、前記早期警報インジケータは、前記潜在的に問題のあるユーザについて識別された前記少なくとも１つの逸脱した属性に基づいている、作成するステップと、
を含む、方法。
（請求項１１１）
前記少なくとも１つの早期警報インジケータは、（１）購入の頻度の増大、（２）入金の頻度の増大、（３）購入の額の増大、（４）入金の額の増大、（５）賭け事の頻度の増大、（６）賭け事の額の増大、（７）購入の頻度に関する異常な行動、（１０）入金の額に関する異常な行動、（１１）賭け事の頻度に関する異常な行動、（１２）賭け事の額に関する異常な行動、（１３）チャージバック要求の頻度に関する異常な行動、（１４）異議申し立ての頻度に関する異常な行動、（１５）自身、ウェブサイト、又は州による活動に携わることからの排除の指し示し、（１６）ヘルプを要求する指し示し、（１７）クレジットカードの使用における債務不履行の指し示し、（１８）支払い不能の指し示し、（１９）セッション時間の長さの増大、及び（２０）所定の期間を超えるセッション時間の累積長の増大、のうちの１つ又は複数を含む、請求項１１０に記載の方法。
（請求項１１２）
前記少なくとも１つの早期警報インジケータは、ヘルプを要求する指し示しを含み、該ヘルプの要求は、該システムが前記ヘルプの要求を提出するオプションを前記ユーザに提示した後に受信され、該オプションは、少なくとも１つの追加の早期警報インジケータが前記ユーザについて識別されたことに応答して生成される、請求項１１１に記載の方法。
（請求項１１３）
前記少なくとも２つのウェブサイトのうちの少なくとも１つが、前記早期警報インジケータを用いて、該ウェブサイトを訪問するユーザから潜在的に問題のあるユーザを識別することができるように、前記少なくとも１つの早期警報インジケータを前記ネットワークを介して前記ウェブサイトに送信するステップを更に含む、請求項１１０に記載の方法。
（請求項１１４）
チャージバック要求を管理するシステムであって、
メモリと、
少なくとも１つのプロセッサであって、ユーザとウェブサイトとの間で以前に実行された取引活動について、クレジットカードのカード保有者である前記ユーザの発行銀行に関連付けられたチャージバック要求を受信した後に、
（ａ）前記以前に実行された取引に関する情報であって、前記以前に実行された取引活動に関連付けられた１つ又は複数の取引パラメータを含む情報を、前記メモリから取り出し、
（ｂ）前記ユーザによって行われた１つ又は複数の他の以前に実行された取引活動に関する履歴情報であって、前記他の以前に実行された取引活動に関連付けられた１つ又は複数の履歴パラメータを含む履歴情報を、前記メモリから取り出し、
（ｃ）前記１つ又は複数の取引パラメータを前記１つ又は複数の履歴パラメータと比較して、少なくとも１つの相関を識別し、
（ｄ）前記少なくとも１つの相関を識別した後に、前記ユーザが前記以前に実行された取引活動を前記ウェブサイトと行ったことを見出すことをサポートするのに十分な証拠として用いられる前記少なくとも１つの相関に関する情報を送信する、
ように構成されている、少なくとも１つのプロセッサと、
を備える、システム。
（請求項１１５）
前記証拠は、所定の基準に従って規定された本質的に有力なものであり、
前記プロセッサは、前記以前に実行された取引を、前記有力な証拠を添付して再提出するように更に構成されている、請求項１１４に記載のシステム。
（請求項１１６）
前記１つ又は複数の取引パラメータ及び前記１つ又は複数の履歴パラメータは、少なくとも１つの共通のパラメータを有する、請求項１１４に記載のシステム。
（請求項１１７）
前記１つ又は複数の取引パラメータのうちの１つは、前記ユーザが前記チャージバック要求を前記ウェブサイトと直接和解するように試みたか否かを示すインジケータを含み、前記少なくとも１つのプロセッサは、
前記以前に実行された取引活動に関する前記情報を取り出した後に、前記インジケータを評価し、
前記インジケータが、前記ユーザが前記チャージバック要求を前記ウェブサイトと直接和解するように試みたことを示していないことに応答して、前記ユーザが前記チャージバック要求を前記ウェブサイトと直接和解するように最初に試みることを要求する通知を生成する、
ように構成されている、請求項１１４に記載のシステム。
（請求項１１８）
前記プロセッサは、前記通知を少なくとも取得銀行に送信するように更に構成されている、請求項１１７に記載のシステム。
（請求項１１９）
前記他の以前に実行された取引活動は、前記ユーザと前記ウェブサイトとの間で行われた取引活動を含む、請求項１１４に記載のシステム。
（請求項１２０）
前記１つ又は複数の取引パラメータのうちの１つは、前記以前に実行された取引活動を行うために前記ユーザによって用いられたデバイスのＩＰアドレスに関連付けられた第１のロケーションを含み、前記１つ又は複数の履歴パラメータのうちの１つは、前記他の以前に実行された取引活動のうちの前記少なくとも１つを行うために前記ユーザによって用いられたデバイスのＩＰアドレスに関連付けられた第２のロケーションを含み、前記少なくとも１つの相関のうちの１つは、前記第１のロケーションが前記第２のロケーションと一致することを含む、請求項１１４に記載のシステム。
（請求項１２１）
前記１つ又は複数の取引パラメータのうちの１つは、前記以前に実行された取引活動を行うために前記ユーザによって用いられたデバイスのＩＰアドレスに関連付けられた第１のロケーションを含み、前記１つ又は複数の履歴パラメータのうちの１つは、前記他の以前に実行された取引活動のうちの前記少なくとも１つの間に前記ユーザによって提供されたホームアドレスに関連付けられた第２のロケーションを含み、前記少なくとも１つの相関のうちの１つは、前記第１のロケーションが前記第２のロケーションと一致することを含む、請求項１１４に記載のシステム。
（請求項１２２）
前記１つ又は複数の取引パラメータのうちの１つは、前記以前に実行された取引活動を行うのに前記ユーザによって用いられたデバイスに関連付けられた第１のフィンガプリントを含み、前記１つ又は複数の履歴パラメータのうちの１つは、前記他の以前に実行された取引活動のうちの前記少なくとも１つを行うのに前記ユーザによって用いられたデバイスに関連付けられた第２のフィンガプリントを含み、前記少なくとも１つの相関のうちの１つは、前記第１のフィンガプリントが前記第２のフィンガプリントと一致することを含む、請求項１１４に記載のシステム。
（請求項１２３）
前記第１のフィンガプリントは、前記以前に実行された取引を行うのに前記ユーザによって用いられた前記デバイスのＭＡＣアドレスを含み、前記第２のフィンガプリントは、前記他の以前に実行された取引のうちの前記少なくとも１つを行うのに前記ユーザによって用いられた前記デバイスのＭＡＣアドレスを含む、請求項１２２に記載のシステム。
（請求項１２４）
チャージバック要求を管理する方法であって、
ユーザとウェブサイトとの間で以前に実行された取引活動について、前記ユーザの発行銀行に関連付けられたチャージバック要求を受信した後に、
（ａ）前記以前に実行された取引活動に関する情報をメモリから取り出すステップであって、該情報は、前記以前に実行された取引活動に関連付けられた１つ又は複数の取引パラメータを含む、取り出すステップと、
（ｂ）前記ユーザによって行われた１つ又は複数の他の以前に実行された取引活動に関する履歴情報を前記メモリから取り出すステップであって、該履歴情報は、前記他の以前に実行された取引活動に関連付けられた１つ又は複数の履歴パラメータを含む、取り出すステップと、
（ｃ）少なくとも１つのプロセッサを備える少なくとも１つのコンピューティングデバイスを介して、前記１つ又は複数の取引パラメータを前記１つ又は複数の履歴パラメータと比較するステップであって、少なくとも１つの相関を識別する、比較するステップと、
（ｄ）少なくとも１つの相関を識別した後に、前記ユーザが前記以前に実行された取引活動を前記ウェブサイトと行ったことを見出すことをサポートするのに十分な証拠として、前記少なくとも１つの相関に関する情報を前記ウェブサイトに送信するステップと、
を含む、方法。
（請求項１２５）
前記証拠は、所定の基準に従って規定された本質的に有力なものであり、
該方法は、前記以前に実行された取引を、前記有力な証拠を添付して再提出するステップを更に含む、請求項１２４に記載の方法。
（請求項１２６）
前記１つ又は複数の取引パラメータ及び前記１つ又は複数の履歴パラメータは、少なくとも１つの共通のパラメータを有する、請求項１２４に記載の方法。
（請求項１２７）
前記１つ又は複数の取引パラメータのうちの１つは、前記ユーザが前記チャージバック要求を前記事業者と直接和解するように試みたか否かを示すインジケータを含み、
該方法は、
前記ユーザが行った前記取引のうちのいずれかに関して前記ウェブサイトが該ユーザによる連絡を受けたか否かについての前記情報を前記ウェブサイトから取り出した後に、前記少なくとも１つのプロセッサによって前記インジケータを評価するステップと、
前記インジケータが、前記ユーザが前記チャージバック要求を前記ウェブサイトと直接和解するように試みたことを示していないことに応答して、前記ユーザが前記チャージバック要求を前記ウェブサイトと直接和解するように最初に試みることを要求する通知を生成するステップと、
を更に含む、請求項１２４に記載の方法。
（請求項１２８）
該方法は、前記通知を少なくとも取得銀行に送信するステップを更に含む、請求項１２７に記載の方法。
（請求項１２９）
前記他の以前に実行された取引活動は、前記ユーザと前記ウェブサイトとの間で行われた取引活動を含む、請求項１２４に記載の方法。
（請求項１３０）
前記１つ又は複数の取引パラメータのうちの１つは、前記以前に実行された取引活動を行うのに前記ユーザによって用いられたデバイスのＩＰアドレスに関連付けられた第１のロケーションを含み、前記１つ又は複数の履歴パラメータのうちの１つは、前記他の以前に実行された取引活動のうちの前記少なくとも１つを行うのに前記ユーザによって用いられたデバイスのＩＰアドレスに関連付けられた第２のロケーションを含み、前記少なくとも１つの相関のうちの１つは、前記第１のロケーションが前記第２のロケーションと一致することを含む、請求項１２４に記載の方法。
（請求項１３１）
前記１つ又は複数の取引パラメータのうちの１つは、前記以前に実行された取引活動を行うのに前記ユーザによって用いられたデバイスのＩＰアドレスに関連付けられた第１のロケーションを含み、前記１つ又は複数の履歴パラメータのうちの１つは、前記他の以前に実行された取引活動のうちの前記少なくとも１つの間に又は登録時に前記ユーザによって提供されたホームアドレスに関連付けられた第２のロケーションを含み、前記少なくとも１つの相関のうちの１つは、前記第１のロケーションが前記第２のロケーションと一致することを含む、請求項１２４に記載の方法。
（請求項１３２）
前記１つ又は複数の取引パラメータのうちの１つは、前記以前に実行された取引活動を行うのに前記ユーザによって用いられたデバイスに関連付けられた第１のフィンガプリントを含み、前記１つ又は複数の履歴パラメータのうちの１つは、前記他の以前に実行された取引活動のうちの前記少なくとも１つを行うのに前記ユーザによって用いられたデバイスに関連付けられた第２のフィンガプリントを含み、前記少なくとも１つの相関のうちの１つは、前記第１のフィンガプリントが前記第２のフィンガプリントと一致することを含む、請求項１２４に記載の方法。
（請求項１３３）
前記第１のフィンガプリントは、前記以前に実行された取引活動を行うのに前記ユーザによって用いられた前記デバイスのＭＡＣアドレスを含み、前記第２のフィンガプリントは、前記他の以前に実行された取引活動のうちの前記少なくとも１つを行うのに前記ユーザによって用いられた前記デバイスのＭＡＣアドレスを含む、請求項１３２に記載の方法。
（請求項１３４）
ユーザを１つ又は複数のウェブサイトに登録するシステムであって、
少なくとも１つのプロセッサであって、
（ａ）前記ユーザを登録する要求を受信し、
（ｂ）前記ユーザによって用いられているコンピューティングデバイスのＩＰアドレスを受信し、
（ｃ）前記ＩＰアドレスを受信した後に、
（１）前記ＩＰアドレスに関連付けられたロケーションを取得し、
（２）前記ユーザがウェブサイトに登録することを許可している管轄に該ユーザがいるか否かを識別し、
（ｄ）前記ユーザから取得された１つ又は複数のパラメータであって、前記ユーザの特徴を含む、１つ又は複数のパラメータを受信し、
（ｅ）前記１つ又は複数のパラメータを受信した後に、
（１）前記１つ又は複数のパラメータのうちの少なくとも１つに基づいて前記ユーザの年齢を検証し、
（２）前記ユーザの前記年齢を検証した後に、前記１つ又は複数のタイプの取引活動のうちのいずれが、前記ユーザが前記１つ又は複数のウェブサイト上で行うことを許可されているのかを、前記ユーザの前記年齢に基づいて判断し、
（３）所定の前の時間期間にわたる１つ又は複数の登録の試みを照会して、前記ユーザから取得された前記１つ又は複数のパラメータと重複又は類似した、前記１つ又は複数の登録の試みに関連付けられたパラメータを識別し、
（４）前記ユーザから取得された前記１つ又は複数のパラメータのうちの１つに少なくとも基づいて前記ユーザの同一性を検証し、
（ｆ）
（１）重複又は類似したパラメータを（ｅ）（３）から識別せず、かつ、
（２）前記ユーザの同一性を（ｅ）（４）から検証した、
後に、前記ユーザに関連付けられた一意のユーザ識別子を生成する、
ように構成されている、少なくとも１つのプロセッサを備える、システム。
（請求項１３５）
前記プロセッサは、前記一意のユーザ識別子を前記１つ又は複数のウェブサイトに送信するように更に構成されている、請求項１３４に記載のシステム。
（請求項１３６）
前記プロセッサは、
前記一意のユーザ識別子を前記ユーザに送信し、
前記一意のユーザ識別子に関連付けられたパスワードの作成を容易にする、
ように更に構成されている、請求項１３４に記載のシステム。
（請求項１３７）
前記プロセッサは、
前記一意のユーザ識別子に関連付けられたパスワードを生成し、
前記一意のユーザ識別子及び前記パスワードを前記ユーザに送信する、
ように更に構成されている、請求項１３４に記載のシステム。
（請求項１３８）
重複又は類似したパラメータを識別せず、かつ前記ユーザの同一性を検証した後に、前記プロセッサは、前記ユーザが前記一意のユーザ識別子及びパスワードを前記ウェブサイトに提供することができるように、前記一意のユーザ識別子とともに前記パスワードを前記ユーザに自動的に提供するように更に構成されている、請求項１３４に記載のシステム。
（請求項１３９）
前記少なくとも１つのプロセッサは、
前記ロケーションを前記一意のユーザ識別子に関連付け、
前記ロケーションを前記メモリに記憶する、
ように構成されている、請求項１３４に記載のシステム。
（請求項１４０）
前記少なくとも１つのプロセッサは、
前記１つ又は複数のパラメータを前記一意のユーザ識別子に関連付け、
前記１つ又は複数のパラメータを前記メモリに記憶する、
ように構成されている、請求項１３４に記載のシステム。
（請求項１４１）
前記少なくとも１つのプロセッサは、前記ユーザの同一性を検証した後に、
同一性検証フラグを前記一意のユーザ識別子に関連付け、
前記同一性検証フラグを前記メモリに記憶する、
ように構成されている、請求項１３４に記載のシステム。
（請求項１４２）
前記１つ又は複数のパラメータは、ユーザ名、名、姓、電子メールアドレス、生年月日、性別、住所、地上通信線電話番号、モバイル電話番号、社会保障番号、運転者の免許証番号及び発行州若しくは発行国、又は前記ユーザによって用いられている前記デバイスのデバイスフィンガプリントのうちの１つ又は複数を含む、請求項１３４に記載のシステム。
（請求項１４３）
前記少なくとも１つのプロセッサは、前記１つ又は複数の登録の試みに関連付けられたＩＰアドレスを照会して、前記ユーザによって用いられている前記コンピューティングデバイスの前記ＩＰアドレスと重複したＩＰアドレスを識別するように構成されている、請求項１３４に記載のシステム。
（請求項１４４）
ユーザを１つ又は複数のウェブサイトに登録する方法であって、
（ａ）前記ユーザを登録する要求を、ネットワークを介して前記ウェブサイトから受信するステップと、
（ｂ）前記ユーザによって用いられているコンピューティングデバイスのＩＰアドレスを、前記ネットワークを介して受信するステップと、
（ｃ）前記ＩＰアドレスを受信した後に、
（１）前記ＩＰアドレスに関連付けられたロケーションを取得するステップと、
（２）少なくとも１つのプロセッサを備える少なくとも１つのコンピューティングデバイスによって、前記ロケーションに基づいて、前記ユーザが、特定のウェブサイトへの登録を許可しているロケーションにいるか否かを識別するステップと、
（ｄ）前記ユーザから取得されて前記ネットワークを介して送信された１つ又は複数のパラメータを受信するステップであって、該１つ又は複数のパラメータは、前記ユーザの特徴を含む、受信するステップと、
（ｅ）前記１つ又は複数のパラメータを受信した後に、
（１）前記１つ又は複数のパラメータのうちの少なくとも１つに基づいて前記ユーザの年齢を検証するステップと、
（２）前記ユーザの前記年齢を検証した後に、前記少なくとも１つのプロセッサによって、前記ユーザが前記１つ又は複数のウェブサイト上で前記１つ又は複数のタイプの取引活動のうちのいずれを許可されているのかを前記ユーザの前記年齢に基づいて判断するステップと、
（３）前記少なくとも１つのプロセッサによって、メモリからの所定の前の時間期間にわたる１つ又は複数の登録の試みを照会するステップであって、前記ユーザから取得された前記１つ又は複数のパラメータと重複又は類似した、前記１つ又は複数の登録の試みに関連付けられたパラメータを識別する、照会するステップと、
（４）前記ユーザから取得された前記１つ又は複数のパラメータのうちの１つに少なくとも基づいて前記ユーザの同一性を検証するステップと、
（ｆ）
（１）重複又は類似したパラメータをステップ（ｅ）（３）の間に識別せず、かつ、
（２）前記ユーザの同一性をステップ（ｅ）（４）の間に検証した、
後に、前記ユーザに関連付けられた一意のユーザ識別子を生成するステップと、
を含む、方法。
（請求項１４５）
前記一意のユーザ識別子を前記１つ又は複数のウェブサイトに送信するステップを更に含む、請求項１４４に記載の方法。
（請求項１４６）
前記一意のユーザ識別子を前記ユーザに送信するステップと、
前記一意のユーザ識別子に関連付けられたパスワードの作成を容易にするステップと、
を更に含む、請求項１４４に記載の方法。
（請求項１４７）
前記一意のユーザ識別子に関連付けられたパスワードを生成するステップと、
前記一意のユーザ識別子及び前記パスワードを前記ユーザに送信するステップと、
を更に含む、請求項１４４に記載の方法。
（請求項１４８）
重複又は類似したパラメータを識別せず、かつ前記ユーザの同一性を検証した後に、前記ユーザが前記一意のユーザ識別子及びパスワードを前記ウェブサイトに提供することができるように、前記一意のユーザ識別子とともに前記パスワードを前記ユーザに自動的に提供するステップを更に含む、請求項１４４に記載の方法。
（請求項１４９）
前記ロケーションを前記一意のユーザ識別子に関連付けるステップと、
前記ロケーションを前記メモリに記憶するステップと、
を更に含む、請求項１４４に記載の方法。
（請求項１５０）
前記１つ又は複数のパラメータを前記一意のユーザ識別子に関連付けるステップと、
前記１つ又は複数のパラメータを前記メモリに記憶するステップと、
を更に含む、請求項１４４に記載の方法。
（請求項１５１）
前記ユーザの同一性を検証した後に、
同一性検証フラグを前記一意のユーザ識別子に関連付けるステップと、
前記同一性検証フラグを前記メモリに記憶するステップと、
を更に含む、請求項１４４に記載の方法。
（請求項１５２）
前記１つ又は複数のパラメータは、ユーザ名、名、姓、電子メールアドレス、生年月日、性別、住所、地上通信線電話番号、モバイル電話番号、社会保障番号、運転者の免許証番号及び発行州又は発行国、並びに前記ユーザによって用いられている前記デバイスのデバイスフィンガプリントのうちの１つ又は複数を含む、請求項１４４に記載の方法。
（請求項１５３）
前記１つ又は複数の登録の試みに関連付けられたＩＰアドレスを照会するステップであって、前記ユーザによって用いられている前記コンピューティングデバイスの前記ＩＰアドレスと重複したＩＰアドレスを識別する、照会するステップを更に含む、請求項１４４に記載の方法。
（請求項１５４）
ユーザとウェブサイトとの間で行われた１つ又は複数の取引活動を清算及び決済するシステムであって、
メモリと、
少なくとも１つのプロセッサであって、
（ａ）１つ又は複数の清算ファイルであって、前記１つ又は複数の取引活動が前記ユーザと前記ウェブサイトとの間で行われた時に該１つ又は複数の取引活動に関して収集された情報を含む、１つ又は複数の清算ファイルを受信し、
（ｂ）前記１つ又は複数の取引活動に関連付けられた資金に関係した情報を含む１つ又は複数の決済ファイルを前記ウェブサイトに関連付けられた少なくとも１つの取得銀行から受信し、
（ｃ）前記１つ又は複数の決済ファイルからの前記情報の少なくとも一部分に基づいて電子決済口座に前記資金を再提出することによって、前記決済口座の貸方に記入し、
（ｄ）前記１つ又は複数の清算ファイルからの前記情報を前記１つ又は複数の決済ファイルからの前記情報と比較することによって、前記決済口座の貸方に記入された前記資金を一致させ、
（ｅ）前記決済口座に残っている前記１つ又は複数の取引活動の前記資金が前記ウェブサイトに支払うべきものとなるような前記決済口座に対する１つ又は複数の調整を容易にする、
ように構成されている、少なくとも１つのプロセッサと、
を備える、システム。
（請求項１５５）
前記少なくとも１つのプロセッサは、前記資金が一致した後に、
（１）前記１つ又は複数の取引活動について支払い義務がある１つ又は複数の税金に基づいて前記決済口座から第１の資金を電子的に控除し、
（２）前記支払い義務がある１つ又は複数の税金に基づいて前記第１の資金を控除した後に、電子税金口座の貸方に前記第１の資金を記入し、
（３）前記１つ又は複数の取引活動について支払い義務がある１つ又は複数の料金に基づいて前記決済口座から第２の資金を電子的に控除し、
（４）前記支払い義務がある１つ又は複数の料金に基づいて前記第２の資金を控除した後に、電子料金口座の貸方に前記第２の資金を記入し、
（５）定められた条件の実現の際にローリングリザーブ口座の貸方に記入されるか又は前記ローリングリザーブ口座からロールオフされる前記資金の所定の割合に基づいて、前記決済口座から第３の資金を電子的に控除又は追加し、
（６）前記第３の資金を控除又は追加した後に、前記ローリングリザーブ口座の貸方又は借方に前記第３の資金を記入し、
（７）任意の受領された入金、行われた引き出し、行われた賭け、及び支払われた賞金のうちの少なくとも１つと等しくなるように、前記決済口座から第４の資金を電子的に控除又は追加し、
（８）前記第４の資金を控除又は追加した後に、少なくとも１つの電子ユーザ入金口座の貸方又は借方に記入する、
ように更に構成されている、請求項１５４に記載のシステム。
（請求項１５６）
前記プロセッサは、項目（１）〜（８）における前記口座の少なくとも１つの貸方又は借方に電子的に記入するように更に構成されている、請求項１５５に記載のシステム。
（請求項１５７）
前記電子ユーザ入金口座は、該口座内の前記資金が独立した明白な権原を有するような分離入金口座である、請求項１５５に記載のシステム。
（請求項１５８）
前記少なくとも１つのプロセッサは、前記資金に対する１つ又は複数の調整を容易にする前に、前記１つ又は複数の取引活動について支払い義務がある前記１つ又は複数の税金を計算するように更に構成されている、請求項１５５に記載のシステム。
（請求項１５９）
前記少なくとも１つのプロセッサは、前記決済口座に残っている前記資金を、所定の時間期間後に、前記事業者に関連付けられた口座に自動的に転送するように更に構成されている、請求項１５５に記載のシステム。
（請求項１６０）
前記少なくとも１つのプロセッサは、前記電子税金口座内の前記第１の資金を、所定の時間期間後に、適切な税務当局に自動的に転送するように更に構成されている、請求項１５５に記載のシステム。
（請求項１６１）
前記第１の資金は、
前記１つ又は複数の取引活動に関して支払うべき預金税を支払う資金と、
前記１つ又は複数の取引活動に関して支払うべき源泉徴収税を支払う資金と、
前記１つ又は複数の取引活動に関して支払うべき賭博税を支払う資金と、
を含む、請求項１５５に記載のシステム。
（請求項１６２）
前記少なくとも１つのプロセッサは、
所定の時間期間にわたってユーザによって１つ又は複数のオンラインギャンブルウェブサイトになされた１つ又は複数の入金に関する情報を受信し、
前記１つ又は複数の入金から前記ユーザになされた引き出しに基づいて前記１つ又は複数の入金を調整し、
管轄当たりの前記１つ又は複数の入金の割合として、前記支払うべき預金税を計算する、
ことによって、前記支払うべき預金税を求めるように更に構成されている、請求項１６１に記載のシステム。
（請求項１６３）
前記少なくとも１つのプロセッサは、
所定の時間期間にわたって１つ又は複数のオンラインギャンブルウェブサイトのユーザによって行われた１つ又は複数の賭け事に関する情報を受信し、
管轄当たりの前記オンラインギャンブルウェブサイトを用いて行われた前記１つ又は複数の賭け事の割合として、前記支払うべき賭博税を計算する、
ことによって、前記支払うべき賭博税を求めるように更に構成されている、請求項１６１に記載のシステム。
（請求項１６４）
前記少なくとも１つのプロセッサは、
所定の時間期間にわたって前記支払うべき源泉徴収税を合計するのに十分なデータを受信し、
所得税の確定申告の目的で前記支払うべき源泉徴収税の申告書を生成する、
ように更に構成されている、請求項１６１に記載のシステム。
（請求項１６５）
前記少なくとも１つのプロセッサは、前記１つ又は複数の取引活動と、前記支払うべき預金税と、前記支払うべき賭博税と、前記支払うべき源泉徴収税と、に関する情報を適切な税務管轄に報告するように更に構成されている、請求項１６１に記載のシステム。
（請求項１６６）
前記少なくとも１つのプロセッサは、前記１つ又は複数の取引活動と、前記支払うべき預金税と、前記支払うべき賭博税と、前記支払うべき源泉徴収税と、に関する情報をウェブサイトに報告するように更に構成されている、請求項１６１に記載のシステム。
（請求項１６７）
前記ウェブサイトへの前記報告は、国税庁に更に送信される、請求項１６６に記載のシステム。
（請求項１６８）
前記第１の資金は、前記１つ又は複数の取引活動に関して支払うべき売上税を支払う資金を含む、請求項１５５に記載のシステム。
（請求項１６９）
前記少なくとも１つのプロセッサは、
所定の時間期間にわたってユーザによって前記ウェブサイトを用いて行われた１つ又は複数の購入に関する情報を受信し、
前記１つ又は複数の購入から前記ユーザになされた払い戻しに基づいて前記１つ又は複数の購入を調整し
管轄当たりの前記１つ又は複数の購入の割合として前記売上税を計算する、
ことによって、前記支払うべき売上税を求めるように更に構成されている、請求項１６８に記載のシステム。
（請求項１７０）
前記少なくとも１つのプロセッサは、前記適切な税務管轄及び売買業者のうちの少なくとも一方に、前記支払うべき売上税を支払い、前記１つ又は複数の取引活動と、前記支払うべき売上税と、前記支払うべき売上税の前記支払いとに関する情報を報告するように更に構成されている、請求項１６８に記載のシステム。
（請求項１７１）
前記少なくとも１つのプロセッサは、
前記１つ又は複数の取引活動に関連付けられた１つ又は複数のチャージバック要求を受信し、
前記１つ又は複数のチャージバック要求に基づいて、前記決済口座から第４の資金を電子的に控除する、
ように構成されている、請求項１５５に記載のシステム。
（請求項１７２）
ユーザとウェブサイトとの間で行われた１つ又は複数の取引活動を清算及び決済する方法であって、
（ａ）１つ又は複数の清算ファイルを受信するステップであって、該１つ又は複数の清算ファイルは、前記１つ又は複数の取引活動が前記ユーザと前記ウェブサイトとの間で行われた時に該１つ又は複数の取引活動に関して収集された情報を含む、受信するステップと、
（ｂ）１つ又は複数の決済ファイルを前記ウェブサイトに関連付けられた少なくとも１つの取得銀行からネットワークを介して受信するステップであって、前記１つ又は複数の決済ファイルは、前記１つ又は複数の取引活動に関連付けられた資金に関係した情報を含む、受信するステップと、
（ｃ）前記１つ又は複数の決済ファイルからの前記情報の少なくとも一部分に基づいて、メモリに記憶された電子決済口座に前記資金を再提出することにより、前記決済口座の貸方に前記資金を記入するステップと、
（ｄ）少なくとも１つのプロセッサとメモリとを備える少なくとも１つのコンピューティングデバイスによって、前記１つ又は複数の清算ファイルからの前記情報を前記１つ又は複数の決済ファイルからの前記情報と比較することによって、前記決済口座に入れられた前記資金を一致させるステップと、
（ｅ）前記決済口座に残っている前記１つ又は複数の取引活動の前記資金が前記ウェブサイトに支払うべきものとなるような前記決済口座に対する１つ又は複数の調整を容易にするステップと、
を含む、方法。
（請求項１７３）
前記資金が一致した後に、
（１）前記１つ又は複数の取引活動について支払い義務がある１つ又は複数の税金に基づいて前記決済口座から第１の資金を電子的に控除するステップと、
（２）前記支払い義務がある１つ又は複数の税金に基づいて前記第１の資金を控除した後に、前記メモリに記憶された電子税金口座の貸方に前記第１の資金を記入するステップと、
（３）前記１つ又は複数の取引活動について支払い義務がある１つ又は複数の料金に基づいて前記決済口座から第２の資金を電子的に控除するステップと、
（４）前記支払い義務がある１つ又は複数の料金に基づいて前記第２の資金を控除した後に、前記メモリに記憶された電子料金口座の貸方に前記第２の資金を記入するステップと、
（５）ローリングリザーブ口座に入れられた前記資金の所定の割合に基づいて、前記決済口座から第３の資金を電子的に控除又は追加するステップと、
（６）前記第３の資金を控除又は追加した後に、前記メモリに記憶された電子ローリングリザーブ口座の貸方又は借方に前記第３の資金を記入するステップと、
（７）受領された入金、行われた引き出し、行われた賭け、及び支払われた賞金と等しくなるように、前記決済口座から第４の資金を電子的に控除又は追加するステップと、
（８）前記第４の資金を控除又は追加した後に、電子ユーザ入金口座の貸方又は借方に記入するステップと、
を更に含む、請求項１７２に記載の方法。
（請求項１７４）
前記電子ユーザ入金口座は、該口座内の前記資金が独立した明白な権原を有するような分離入金口座である、請求項１７３に記載の方法。
（請求項１７５）
前記資金に対する１つ又は複数の調整を容易にする前に、前記１つ又は複数の取引活動について支払い義務がある前記１つ又は複数の税金を計算するステップを更に含む、請求項１７３に記載の方法。
（請求項１７６）
前記決済口座に残っている前記資金を、所定の時間期間後に、前記事業者に関連付けられた口座に自動的に転送するステップを更に含む、請求項１７３に記載の方法。
（請求項１７７）
前記電子税金口座内の前記第１の資金を所定の時間期間後に前記適切な税務当局に自動的に転送するステップを更に含む、請求項１７３に記載の方法。
（請求項１７８）
前記第１の資金は、
前記１つ又は複数の取引活動に関して支払うべき預金税を支払う資金と、
前記１つ又は複数の取引活動に関して支払うべき源泉徴収税を支払う資金と、
前記１つ又は複数の取引活動に関して支払うべき賭博税を支払う資金と、
を含む、請求項１７３に記載の方法。
（請求項１７９）
所定の時間期間にわたってユーザによって１つ又は複数のオンラインギャンブルウェブサイトになされた１つ又は複数の入金に関する情報を受信し、
前記少なくとも１つのプロセッサによって、前記１つ又は複数の入金から前記ユーザになされた払い戻しに基づいて前記１つ又は複数の入金を調整し、
前記少なくとも１つのプロセッサによって、管轄当たりの前記１つ又は複数の入金の割合として、前記支払うべき預金税を計算する、
ことによって、前記支払うべき預金税を求めるステップを更に含む、請求項１７８に記載の方法。
（請求項１８０）
１つ又は複数のオンラインギャンブルウェブサイトのユーザが所定の時間期間の間、該オンラインギャンブルウェブサイトを用いてプレイした、所定の時間期間にわたって前記ユーザによって行われた１つ又は複数の賭け事に関する情報を受信し、
前記少なくとも１つのプロセッサによって、管轄当たりの前記オンラインギャンブルウェブサイトを用いて行われた前記１つ又は複数の賭け事の割合として、前記支払うべき賭博税を計算する、
ことによって、前記支払うべき賭博税を求めるステップを更に含む、請求項１７８に記載の方法。
（請求項１８１）
所定の時間期間にわたって前記支払うべき源泉徴収税を合計するのに十分なデータを受信するステップと、
所得税の確定申告の目的で前記支払うべき源泉徴収税の申告書を生成するステップと、
を更に含む、請求項１７８に記載の方法。
（請求項１８２）
前記１つ又は複数の取引活動と、前記支払うべき預金税と、前記支払うべき賭博税と、前記支払うべき源泉徴収税と、に関する情報を適切な税務管轄に報告するステップを更に含む、請求項１７８に記載の方法。
（請求項１８３）
前記１つ又は複数の取引活動と、前記支払うべき預金税と、前記支払うべき賭博税と、前記支払うべき源泉徴収税と、に関する情報を前記ウェブサイトに報告するステップを更に含む、請求項１７８に記載の方法。
（請求項１８４）
前記ウェブサイトへの前記報告は、国税庁に更に送信される、請求項１８３に記載の方法。
（請求項１８５）
前記第１の資金は、前記１つ又は複数の取引活動に関して支払うべき売上税を支払う資金を含む、請求項１７３に記載の方法。
（請求項１８６）
所定の時間期間の間、前記購入者によって前記オンライン売買業者ウェブサイトを用いて行われた１つ又は複数の購入に関する情報を受信し、
前記少なくとも１つのプロセッサによって、前記１つ又は複数の購入から前記購入者になされた払い戻しに基づいて前記１つ又は複数の購入を調整し、
前記少なくとも１つのプロセッサによって、管轄当たりの前記１つ又は複数の購入の割合として前記支払うべき売上税を計算する、
ことによって、前記支払うべき売上税を求めるステップを更に含む、請求項１８５に記載の方法。
（請求項１８７）
前記少なくとも１つのプロセッサを介して、前記適切な税務管轄及び前記売買業者のうちの少なくとも一方に、前記支払うべき売上税を支払うステップと、前記適切な税務管轄及び前記売買業者のうちの少なくとも一方に、前記１つ又は複数の取引活動と、前記支払うべき売上税と、前記支払うべき売上税の前記支払いと、に関する情報を報告するステップと、を更に含む、請求項１８５に記載の方法。
（請求項１８８）
前記１つ又は複数の取引活動に関連付けられた１つ又は複数のチャージバックファイルを受信するステップと、
前記少なくとも１つのプロセッサによって、データの少なくとも一部分を修正することによって、前記１つ又は複数のチャージバックファイルに基づいて前記決済口座から第４の資金を電子的に控除するステップと、
を更に含む、請求項１７３に記載の方法。